(57)【要約】【課題】  これまでにない拡張現実の体験を与えること、さらには、そのことによってこれまでにない経験を与えるビジネスの技術的基盤を提供すること、の可能な情報処理システム、情報処理システムの制御方法、プログラム、及び記録媒体を提供すること。【解決手段】  素材情報と前記素材情報の動作を指示する素材動作指示情報とを含むレイヤが格納されるレイヤ複合体と、前記レイヤ複合体に格納された前記素材情報のうちどの素材情報をどのように経時的に展開するのかを規定する制御部と、前記制御部で規定された内容にしたがって前記素材情報を出力する出力部とを具備して構成する。【選択図】図６Ｂ
2019091455.tif 000002
【特許請求の範囲】
【請求項１】
素材情報と前記素材情報の動作を指示する素材動作指示情報とを含むレイヤが格納されるレイヤ複合体と、
前記レイヤ複合体に格納された前記素材情報のうちどの素材情報をどのように経時的に展開するのかを規定する制御部と、
前記制御部で規定された内容にしたがって前記素材情報を出力する出力部と
を具備したことを特徴とする情報処理システム。
【請求項２】
素材情報を含むレイヤが格納されるレイヤ複合体と、
前記レイヤ複合体に格納された前記素材情報のうちどの素材情報をどのように経時的に展開するのかを規定する制御部と、
前記制御部で規定された内容にしたがって前記素材情報を出力する出力部と
を具備したことを特徴とする情報処理システム。
【請求項３】
前記レイヤの素材動作指示情報は、他のレイヤに係る素材情報及び／もしくは素材動作指示情報を相互に／もしくは一方向に参照可能とすることを特徴とする請求項１に記載の情報処理システム。
【請求項４】
端末の位置情報を取得する位置情報取得部と、
前記位置情報取得部で取得した位置情報と関連させて素材情報と前記素材情報の動作を指示する素材動作指示情報とを含むレイヤが格納されるレイヤ複合体と、
前記レイヤ複合体に格納した前記素材情報のうちどの素材情報をどのように経時的に展開するのかを規定する制御部と、
前記位置情報取得部で取得された位置情報に関連する素材情報を前記制御部で規定された内容にしたがって出力する出力部と
を具備したことを特徴とする情報処理システム。
【請求項５】
端末の位置情報を取得する位置情報取得部と、
位置情報に関連し、素材情報と前記素材情報の動作を指示する素材動作指示情報とを含むレイヤと前記位置情報に関連しないレイヤとが格納されるレイヤ複合体と、
前記レイヤ複合体に格納した前記レイヤ情報のうちどのレイヤ情報をどのように経時的に展開するのかを規定する制御部と、
前記制御部で規定された内容にしたがって素材を出力する出力部と
を具備したことを特徴とする情報処理システム。
【請求項６】
前記位置情報取得部は、近距離通信受信部もしくは全地球測位部のいずれかにより前記位置情報を取得することを特徴とする請求項４または５に記載の情報処理システム。
【請求項７】
前記端末から管理サーバを介して他の端末のレイヤ複合体に広告を掲載する広告掲載部をさらに具備したことを特徴とする請求項１に記載の情報処理システム。
【請求項８】
前記端末から管理サーバを介して他の端末のレイヤ複合体に前記位置情報に合致した広告を掲載する広告掲載部をさらに具備したことを特徴とする請求項４または５に記載の情報処理システム。
【請求項９】
前記広告は、時間情報に合致した広告を含むことを特徴とする請求項７もしくは８に記載の情報処理システム。
【請求項１０】
前記レイヤ複合体の中から素材情報のうちの少なくとも一つを選択して組み合わせ重畳できる選択組合せ部をさらに具備したことを特徴とする請求項１から５のいずれか一項に記載の情報処理システム。
【請求項１１】
素材情報のうちの音声情報及び画像情報のうちの少なくともいずれかを取得して聴取する前記端末を携帯したユーザーの顔の向き、耳の位置を推定した方位情報を前記端末から取得する方位情報取得部をさらに備え、
前記制御部は、前記方位情報取得部によって取得された方位情報に対応した素材情報を出力するようにしたことを特徴とする請求項１から６のいずれか一項に記載の情報処理システム。
【請求項１２】
前記素材情報は、インターネットを含むネットワークを介して得た情報であることを特徴とする請求項１から５のいずれか一項に記載の情報処理システム。
【請求項１３】
前記素材動作指示情報は、インターネットを含むネットワークを介して得た情報によって反応し或いは動作し、もしくは動作を変更することを特徴とする請求項１、３〜５のいずれか一項に記載の情報処理システム。
【請求項１４】
前記レイヤ複合体に素材情報を投稿する投稿部をさらに具備したことを特徴とする請求項１から５のいずれか一項に記載の情報処理システム。
【請求項１５】
前記投稿部は、素材情報が配信される範囲の中心位置を地図上に指定する投稿位置指定機能と、前記中心位置に前記素材情報のファイルを指定するファイル指定機能と、前記中心位置を中心として前記素材情報の配信領域を前記地図上に指定する領域指定機能と、前記素材情報を前記レイヤ複合体に格納する格納機能と、をさらに具備したことを特徴とする請求項１４に記載の情報処理システム。
【請求項１６】
前記端末からの素材情報について他の端末側が配信を要求する場合、前記他の端末側に課金する課金部をさらに具備したことを特徴とする請求項４もしくは５に記載の情報処理システム。
【請求項１７】
前記課金部は、前記他の端末が前記レイヤ複合体を介して前記素材情報の一部を無料とし、残りを有料である旨が前記他の端末側で了解されたか否かを判断する第一の判断機能と、前記第一の判断機能により了解されると残りの素材情報を配信することを承認する第一の承認機能とをさらに具備したことを特徴とする請求項１６に記載の情報処理システム。
【請求項１８】
前記課金部は、前記端末から広告が前記レイヤ複合体を介して他の端末に配信され、かつ前記広告が前記他の端末で再生されたか否かを判断する第二の判断機能と、前記第二の判断機能により再生されると前記端末側に課金することを承認する第二の承認機能とをさらに具備したことを特徴とする請求項１６に記載の情報処理システム。
【請求項１９】
前記素材情報が配信される位置情報に加え、前記素材情報を閲覧できる時間情報を含むことを特徴とする請求項４もしくは５に記載の情報処理システム。
【請求項２０】
前記端末からの素材情報の口コミや前記他の端末のユーザーの嗜好に合わせてランク付けするランキング機能をさらに具備したことを特徴とする請求項１６に記載の情報処理システム。
【請求項２１】
前記端末の位置における待ち時間を含む混雑率に関する情報を取得する混雑率情報取得部をさらに備え、
前記制御部は、前記混雑率情報取得部によって取得された前記混雑率が所定の値より高い場合には前記素材情報の内容を簡略化するようにしたことを特徴とする請求項４もしくは５に記載の情報処理システム。
【請求項２２】
前記素材情報の内容の簡略化には、素材情報量の増減、別バージョンの素材情報、及び重要素材情報を優先することを含むことを特徴とする請求項２１に記載の情報処理システム。
【請求項２３】
前記素材情報を広告付き無料配信もしくは広告なし有料配信に切り替える配信切替部をさらに具備したことを特徴とする請求項１から５のいずれか一項に記載の情報処理システム。
【請求項２４】
前記素材情報の内容に基づいて前記端末のユーザーの嗜好を分析する分析部をさらに具備し、
前記制御部は、前記分析部によって分析された前記嗜好に基づいて前記素材情報を選択するようにしたことを特徴とする請求項１から５のいずれか一項に記載の情報処理システム。
【請求項２５】
前記分析部は、ＡＩを用いて嗜好を分析することを特徴とする請求項２４に記載の情報処理システム。
【請求項２６】
前記端末のユーザーの属性を分析する属性分析部をさらに具備し、
前記制御部は、前記属性分析部によって分析された前記属性に基づいて前記素材情報を選択するようにしたことを特徴とする請求項４もしくは５に記載の情報処理システム。
【請求項２７】
前記端末の速度に係る速度情報を取得する速度センサをさらに備え、前記制御部は、前記速度センサによって取得された前記速度情報に基づいた素材情報を前記レイヤ複合体に格納することを特徴とする請求項４もしくは５に記載の情報処理システム。
【請求項２８】
前記端末の加速度に係る加速度情報を取得する加速度センサをさらに備え、前記制御部は、前記加速度センサによって取得された前記加速度情報に基づいた素材情報を前記レイヤ複合体に格納することを特徴とする請求項４もしくは５に記載の情報処理システム。
【請求項２９】
前記加速度センサが衝撃を検知すると画面に表示される正常ボタンと、
前記正常ボタンが押された場合には、元の画面に戻り、所定の時間が経過しても前記正常ボタンが押されない場合には、管理サーバに通知するとともに前記出力部から周囲に救助を要請する旨のメッセージを発する合成音声発生部と、をさらに具備したことを特徴とする請求項２８に記載の情報処理システム。
【請求項３０】
前記加速度センサにより、前記端末のユーザーの歩数を計測するとともに、前記制御部は前記ユーザーの年齢、性別、及び必要のうちの少なくともいずれか一つに応じた最低限度の歩数と比較する歩数比較部をさらに備え、前記制御部は前記比較部の比較結果に応じてもしくは必要に応じて前記出力部で出力するようにしたことを特徴とする請求項２８に記載の情報処理システム。
【請求項３１】
前記端末の周囲の温度を検知する温度センサをさらに備え、
前記制御部は、前記温度センサで検知された温度情報に関連する素材情報を発生させるようにしたことを特徴とする請求項４もしくは５に記載の情報処理システム。
【請求項３２】
前記端末の周囲の湿度を検知する湿度センサをさらに備え、
前記制御部は、前記湿度センサで検知された湿度情報に基づいた素材情報を前記レイヤ複合体から選択し前記出力部から出力させるようにしたことを特徴とする請求項４もしくは５に記載の情報処理システム。
【請求項３３】
前記端末の高度を計測する高度センサをさらに備え、
前記制御部は、前記高度センサで計測された高度情報に基づいた素材情報を前記レイヤ複合体から選択し前記出力部から出力させるようにしたことを特徴とする請求項４もしくは５に記載の情報処理システム。
【請求項３４】
前記端末の外部を撮像するカメラをさらに備え、
前記端末は、前記カメラを用いて地上の段差、開口、及び障害物を含む危険領域を検知し、警告音、警告表示、画面点滅、及びバイブレータ作動のうちの少なくとも一つを実行させることを特徴とする請求項４もしくは５に記載の情報処理システム。
【請求項３５】
前記端末は、前記カメラを常時動作もしくは一定間隔動作のいずれかに設定する撮像時間設定部をさらに具備したことを特徴とする請求項３４に記載の情報処理システム。
【請求項３６】
前記端末は、少なくとも近距離通信部により地上の段差、開口、及び障害物を含む危険領域を検知し、警告音、警告表示、画面点滅、及びバイブレータ作動のうちの少なくとも一つを実行させることを特徴とする請求項４もしくは５に記載の情報処理システム。
【請求項３７】
前記端末のユーザーは素材情報の聴取、視聴、投稿、広告のうちのいずれも可能であることを特徴とする請求項４もしくは５に記載の情報処理システム。
【請求項３８】
前記レイヤ複合体に格納された素材情報が格納容量を超える場合には自動的に古い素材情報から消去されて新たな素材情報が上書きされることを許可する上書き許可部を具備したことを特徴とする請求項１から５のいずれか一項に記載の情報処理システム。
【請求項３９】
プッシュ型情報配信モードとプル型情報配信モードとを切り替えるモード切替部をさらに具備したことを特徴とする請求項１から５のいずれか一項に記載の情報処理システム。
【請求項４０】
前記レイヤ複合体に格納された素材情報のうちの再生した素材情報、再生回数及び再生時間を含む再生情報を管理サーバに送信するアプリケーションソフトウェアを前記管理サーバから配信可能であることを特徴とする請求項１から５のいずれか一項に記載の情報処理システム。
【請求項４１】
前記レイヤ複合体に格納された素材情報のうちの再生した素材情報、再生回数及び再生時間を含む再生情報を管理サーバに送信する再生情報送信部をさらに具備したことを特徴とする請求項１から５のいずれか一項に記載の情報処理システム。
【請求項４２】
前記素材動作指示はＡＩが行うことを特徴とする請求項1、３から５の何れか一項に記載の情報処理システム。
【請求項４３】
素材情報をレイヤ複合体に格納し、
前記レイヤ複合体に格納された素材情報をどのように経時的に展開するのかを規定し、
前記規定に基づいて前記素材情報を展開して出力することを特徴とする情報処理方法。
【請求項４４】
コンピュータ読み取り可能なプログラムであって、
コンピュータに、
素材情報をレイヤ複合体に格納する第一の機能と、
前記レイヤ複合体に格納された素材情報をどのように経時的に展開するのかを規定する第二の機能と、
前記第二の機能によりなされた規定に基づいて前記素材情報を展開して出力する第三の機能と、
を実行させるためのコンピュータ読み取り可能なプログラム。
【請求項４５】
請求項４４に記載のプログラムを記録したことを特徴とする記録媒体。
【発明の詳細な説明】
【技術分野】
【０００１】
本発明は、たとえば、美術館、博物館等の会場や、一般の建屋内、あるいは、屋外におけるたとえば並木路や公園等、立ち位置の状況や好みに合わせてコンテンツを処理する情報処理システム、同制御方法、プログラム、及び記録媒体に関する。
【背景技術】
【０００２】
従来、展示施設内の展示物に関する展示解説情報を蓄積した展示解説情報データベースを設け、携帯電話と情報配信サーバとの間で双方向の情報伝送を行う展示施設ガイドシステムが、たとえば特許文献１のように提案されている。
【０００３】
また、特許文献２には、ブルートゥース（登録商標）等の近距離双方向通信機能を具備した携帯端末を用いて利用者個人の嗜好や要求を博物館、アミューズメントパーク、展示場等の情報サービス提供者側に伝え、サービス提供者側からそのような要求に基づいた情報やサービスの提供を受けることが可能なシステムも提案されている。
【０００４】
また、特許文献３には、複数のコースのそれぞれに対応してガイド音声を順序よく提供することができていないとし、ガイド音声を順序よく提供することができるシステムの提案もされている。
【０００５】
また、特許文献４には、注目語に関してユーザーが連携先の情報サービスへ投稿した内容に基づいて、以降の注目語の表示順序を制御することにより、ユーザーが積極的に発信した情報である投稿内容から、注目語への評価や姿勢などユーザーの興味関心を表す情報を得て注目語の表示順序に反映できる装置も提案されている。
【０００６】
また、特許文献５には、ポッドキャスティング等による番組配信において、既存のメディアサーバのインフラを利用しつつ効率的に広告配信を可能にするものであり、従来のメディアサーバで管理する番組データに対して、番組供給者はメディア管理端末を通じて配信設定データを生成してアドサーバに送信しておくだけでよいとするシステムも提案されている。
【先行技術文献】
【特許文献】
【０００７】
【特許文献１】特開２００６−２１５８８３号公報
【特許文献２】特開２００５−２９２１９６号公報
【特許文献３】特許第６１８１２３１号公報
【特許文献４】特許第５４５８１４３号公報
【特許文献５】特許第５２６５９６９号公報
【発明の概要】
【発明が解決しようとする課題】
【０００８】
しかしながら、これまでは、仮想現実を含む環境創出の場面において、音声は主に映像等に付随する対象として扱われるにすぎず、或いは、いわゆる音楽鑑賞のような、限定的な規定条件のもと楽しむ対象として扱われる域を出ることはなかった。
【０００９】
本発明はかかる問題を解決するもので、音という物理的存在の特質を生かした上でのこれまでにない拡張現実の体験を与えること、さらには、そのことによってこれまでにない経験を与えるビジネスの技術的基盤を提供すること、の可能な情報処理システム、情報処理システムの制御方法、プログラム、及び記録媒体を提供することにある。
【課題を解決するための手段】
【００１０】
本発明者はまず、音という物理的存在が持つ特質に着目した。すなわち、一般に、人間が受ける視覚からの刺激と音声からの刺激とは、略９３：７であるとされ、ここから逆に、これを補う本能から、音情報は、否応なく、それを聴取した人間の想像を掻き立てることになる。言い換えれば、音という情報は他の情報、たとえば映像という情報に比して、それに接した人間の想像を掻き立てさせ、頭の中にイメージを形成させる力を余計に備えているということができる。本発明者は、音というものがこの特別な性質を有する点に着眼し、この性質を利用した技術的思想の創出に至った。換言すれば、音情報に対して人間が特定の反応を惹起せざるを得ないという人間工学的な性質に着眼し、この、いわば自然がもたらす法則を利用して、この点を様々な手法によって積極的に刺激し、そこから生じる種々の特質を、日々の生活／ビジネス局面を含む人間生活一般に展開することで種々の価値を発生させる仕組みを考察し発明した。ここに本願の技術的思想の核心／本質が存在する。
【００１１】
上記思想の核心を実現し上記課題を解決するために、本発明の第１の態様は、素材情報と前記素材情報の動作を指示する素材動作指示情報とを含むレイヤが格納されるレイヤ複合体と、前記レイヤ複合体に格納された前記素材情報のうちどの素材情報をどのように経時的に展開するのかを規定する制御部と、前記制御部で規定された内容にしたがって前記素材情報を出力する出力部とを具備したことを特徴とする。
【００１２】
本発明の第１の態様は、代替的に、素材情報を含むレイヤが格納されるレイヤ複合体と、前記レイヤ複合体に格納された前記素材情報のうちどの素材情報をどのように経時的に展開するのかを規定する制御部と、前記制御部で規定された内容にしたがって前記素材情報を出力する出力部とを具備したことを特徴とする情報処理システム、として実現されるものであってもよい。
【００１３】
上記両態様において、素材情報（メディア）とは、解説音、効果音、ＢＧＭ、館内放送、解説画像、表、地図、レイアウト情報、投稿情報、及び広告情報を含む情報である。規定された内容とは、例えば、いつ、どの時点で、どのくらいの音量で、どのくらいの時間再生するのか、位置情報、顔の向き、速度、温度に応じてどのような反応を行うかについての情報であり、これらの情報を用いて多種の動作が行える。同じ場所において、音によって、同時に、無限に異なる経験、楽しみ方を提供することができる。音の持つ上記特性を積極的に利用することで、人間の想像を掻き立てさせ、頭の中にイメージを形成させる効果を生み出すことができるものである。なお、本発明は上記のとおり、音を核心的存在として位置づけつつも、本質的に、音以外の物理的存在への展開を許容するものであるので、上記では、音以外のものも「素材情報」に含んでもよい、としたものである。
【００１４】
上記において、レイヤとは素材情報（コンテンツ素材情報）と素材動作指示情報（コンテンツ素材動作指示情報）とで構成されたものを言い、レイヤ複合体とはレイヤ１＋レイヤ２＋、…、＋レイヤｎのように複数のレイヤを複合したものを言う。
【００１５】
素材動作指示情報とは、対象とするレイヤもしくはそれが含む素材情報（たとえば、メロディ、環境音、解説音声、等）を特定し、該特定された素材情報に係る素材に対して起こす動作指示内容（たとえば、再生する、特定の命令を受けた場合には再生中の音声のボリュームを絞ったり増幅したりする、一時ストップする、再生を再開する、等）を特定し、当動作内容に係る動作を継続する時間を特定する情報を含む情報をいう。いいかえれば、素材動作指示情報（「コマンド情報」ともいう。）とは、対象たるレイヤ情報（「オブジェクトレイヤ情報」ともいう。）、（対象レイヤに対する）動作指示情報（「アクション情報」ともいう。）、かかる動作指示についての時間情報、を含む動作指示を単数もしくは複数備える情報をいう。素材動作指示情報は、位置情報や時間情報を含んでもよい。レイヤが例えば音源情報と音源動作指示情報との組み合わせの場合、異なる音源動作指示情報同士で情報の授受をしたり、動作指示をしたりしてもよい。
【００１６】
なお、上記で、素材動作指示情報とはレイヤ単位に存在するものと定義したが、レイヤに含まれる素材情報を動作させるための指示情報は必ずしもレイヤに付随しなくてもよい。このように、レイヤに付随せず、つまりレイヤとは独立に、存在する素材動作指示情報については、特に、シナリオプログラムと称する。シナリオプログラムは、それぞれのアイテム（レイヤ）ごとにイネーブル／アンイネーブル化したり編集したりできるようにしてもよい。すなわち、シナリオテンプレートを予め作成しておき、例えば解説音、ＢＧＭ、効果音、解説画像等の項目にチェックボックスを設け、端末のユーザーが視聴、聴取、もしくは閲覧したいものにチェックを付けることで視聴、聴取、もしくは閲覧が可能となり、チェックを外すことでデフォルトすることができるようにしてもよい。
【００１７】
シナリオ付きレイヤ複合体とはレイヤ複合体とシナリオプログラムとを有するものをいうが、レイヤ複合体のみを有するものであってもよい。
【００１８】
レイヤ複合体とは、ハードウェア的には例えば管理サーバのＲＡＭとＨＤＤによって構成されるメモリ空間における所定のアドレス群で特定されるデータ及び／プログラムの領域群を言い、ソフトウェア的には素材情報と素材動作指示情報とを有するレイヤの複数であるレイヤ複合体、もしくはレイヤ複合体とシナリオプログラムとを含む素材情報の複合体を言う。素材情報の数は利用する環境に応じて増減が可能である。
【００１９】
また、レイヤのうち音声や画像等の素材情報を格納したレイヤにより仮想現実を構成できる。
すなわち、基本的に
・同じ場所において、
・主に音によって、
・同時に、
・無限に異なる経験、楽しみ方を提供すること、
をテーマとしている技術思想の一部であり、画像レイヤも同様の思想に基づいた技術思想の一部である。さらに、ユーザーによる投稿のレイヤや広告のレイヤもある。
【００２０】
これまで一トラックに一コンテンツが録音されているので、たとえば、気象条件、時間帯、混雑状況に応じたコンテンツを聴取したい場合には、上記環境の変化に合わせたコンテンツのバラエティーを、すべて作成し録音しなくてはならないという問題が生じていたところ、本願の態様によれば、上記構成を備えることにより、素材単位で作成／編集が可能となり、音経験の自由度を増大させることができる。これは、これまでにない音経験を与え、ひいては、音の世界での仮想現実を聴者が自由に楽しむことができる、という新しい体験を与え、これを日常生活／ビジネス等の局面に応用することで、たとえば、音情報を通じた商取引形態の提供など、新しい価値を創出することができる。
【００２１】
さらに発展的には、展示会場等において、一つの場所において好みに合わせて解説者、解説画像、効果音、効果画像、グラフ、ＢＧＭ（Ｂａｃｋ  Ｇｒｏｕｎｄ  Ｍｕｓｉｃ）、館内放送等を選択的に聴取したり、場所に応じたサウンドを聴取したり、視聴したりすることを技術的もしくはシステム的に担保することができる。
【００２２】
本発明の第２の態様として、第１の態様において、前記レイヤの素材動作指示情報は、他のレイヤの素材動作指示情報を相互に／もしくは一方向に参照可能としてもよい。
【００２３】
これにより、レイヤ設計において、或いは素材利用において、さらなる自由度／選択度を与え、視聴者側の視点からは、より拡大された拡張現実を体験することを技術的もしくはシステム的に担保することができる。
【００２４】
本発明の第３の態様は、端末の位置情報を取得する位置情報取得部と、前記位置情報取得部で取得した位置情報と関連させて素材情報と前記素材情報の動作を指示する素材動作指示情報とを含むレイヤが格納されるレイヤ複合体と、前記レイヤ複合体に格納した前記素材情報のうちどの素材情報をどのように経時的に展開するのかを規定する制御部と、前記位置情報取得部で取得された位置情報に関連する素材情報を前記制御部で規定された内容にしたがって出力する出力部とを具備したことを特徴とする。
【００２５】
位置情報を組み合わせることにより、特定の位置ごとに素材利用の態様を変えることを指定することができるから、レイヤ設計において、或いは素材利用において、さらなる自由度／選択度を与え、視聴者側の視点からは、位置移動と連動した、より拡大された拡張現実を体験することを技術的もしくはシステム的に担保することができる。
【００２６】
本発明の第４の態様は、端末の位置情報を取得する位置情報取得部と、位置情報に関連し、素材情報と前記素材情報の動作を指示する素材動作指示情報とを含むレイヤと前記位置情報に関連しないレイヤとが格納されるレイヤ複合体と、前記レイヤ複合体に格納した前記レイヤ情報のうちどのレイヤ情報をどのように経時的に展開するのかを規定する制御部と、前記制御部で規定された内容にしたがって素材を出力する出力部とを具備したことを特徴とする。
【００２７】
位置情報に関係づけられる素材情報と、位置情報に関係づけられない素材情報とで、素材利用の態様を変えることを指定することができるから、レイヤ設計において、或いは素材利用において、さらなる自由度／選択度を与え、視聴者側の視点からは、位置移動と連動した、より拡大された拡張現実を体験することを技術的もしくはシステム的に担保することができる。
【００２８】
本発明の第５の態様として、第３または４の態様において、上記位置情報取得部は、近距離通信受信部もしくは全地球測位部のいずれかにより上記位置情報を取得することとしてもよい。
【００２９】
近距離通信受信部とは、例えばビーコン（登録商標）受信部で例示されるような、交信距離の比較的短い無線通信（特に受信）機能をもつ機能体をいい、全地球測位部とは例えばＧＰＳ（Ｇｌｏｂａｌ  Ｐｏｓｉｔｉｏｎｉｎｇ  Ｓｙｓｔｅｍ）で例示されるような、複数の人工衛星から発信された電波を用いて地球上における現在位置を確認する機能を備えた機能体をいう。
【００３０】
これにより、いわゆるビーコン（登録商標）、ＧＰＳ等を利用することで、位置情報と連動した新たな音体験に基づく拡張現実技術を容易に実現することができる。
【００３１】
本発明の別の態様として、第１の態様において、前記端末から管理サーバを介して他の端末のレイヤ複合体に広告を掲載する広告掲載部をさらに具備した構成としてもよいし、第３又は第４の態様において、前記端末から管理サーバを介して他の端末のレイヤ複合体に前記位置情報に合致した広告を掲載する広告掲載部をさらに具備した構成としてもよい。この場合に、前記広告は、時間情報に合致した広告を含む構成としてもよい。
【００３２】
本発明の第６の態様として、第１から第４のいずれかの態様において、上記端末は、上記レイヤ複合体の中から少なくとも一つの素材を選択して組み合わせる選択組合せ部を具備したこととしてもよい。
【００３３】
これにより、素材情報、特に新たな音体験に基づく拡張現実を提供する側の設計の自由度を増大させることができる。
【００３４】
本発明の第７の態様として、第１から第４のいずれかの態様において、素材のうちの音声及び画像のうちの少なくともいずれかを取得して聴取する上記端末を携帯したユーザーの顔の向き、耳の位置を推定した方位情報を上記端末から取得する方位情報取得部と、をさらに備え、上記端末は、上記取得した方位情報に対応した素材情報を出力するようにしてもよい。
【００３５】
ユーザーの顔の向きや耳の位置に対応した音声や効果音を出力することにより、例えば仮想的な物体が現実に存在するかのような体験が得られる。
【００３６】
本発明の第８の態様として、第１から第４のいずれかの態様において、前記素材情報は、インターネットを含むネットワークを介して得た情報である、としてもよい。
【００３７】
ここで、インターネットを含むネットワークを介して得た情報とは、たとえば、天気予報、休業日情報、交通情報、台風情報、災害情報等を含む。
【００３８】
本発明の第９の態様として、第１から第４のいずれかの態様において、前記素材動作指示情報は、インターネットを含むネットワークを介して得た情報によって反応し或いは動作し、もしくは動作を変更する、としてもよい。
【００３９】
ここで、インターネットを含むネットワークを介して得た情報によって反応し或いは動作し、もしくは動作を変更するものとしては、たとえば、晴天から雨天に変化した場合には効果音が雨音に替わり、ＢＧＭが雨に関する音楽に替わり、雨天から晴天に変化した場合には効果音が雨音から小鳥のさえずりに替わり、ＢＧＭが喜びの歌に替わる等の演出効果が得られるものが挙げられ、これらは全て本願の技術思想に包摂される。
【００４０】
本発明の第１０の態様として、第１から第４のいずれかの態様において、上記端末は、上記管理サーバのレイヤ複合体に素材情報を投稿する投稿部をさらに具備した、としてもよい。
【００４１】
ここで、投稿とは、口コミ、意見、感想だけではなく、端末のユーザー自身が作成した解説文、解説画像、ＢＧＭ、効果音等が挙げられる。この場合のユーザーは素材情報の投稿者であるが、ユーザーは単なる聴取者（視聴者）でもある。
【００４２】
上記構成を備えることにより、ブログ、ツイート、インスタグラム等のＳＮＳを利用して、たとえば、景勝地や歴史的建造物について投稿者が独自の解説や効果音を制作して投稿したり（投稿者）、ＢＧＭや、画像等を上記投稿した情報と他のコンテンツと、を組み合わせて聴取したりする（視聴者）という、これまでにない拡張現実体験を与えることを、技術的もしくはシステム的に担保することができる。
【００４３】
本発明の第１１の態様として、第１０の態様において、上記投稿部は、素材情報が配信される範囲の中心位置を地図上に指定する投稿位置指定機能と、上記中心位置に上記端末のユーザーが関わった素材情報のファイルを指定するファイル指定機能と、上記中心位置を中心として上記素材情報の配信領域を上記地図上に指定する領域指定機能と、上記素材情報を上記管理サーバの上記レイヤ複合体に格納する格納機能と、をさらに具備したとしてもよい。
【００４４】
端末のユーザーである投稿者が他の端末のユーザーに伝達したい素材情報がある場合、素材情報を伝達する領域のサイズを投稿者の都合に合わせて調整できる。また、配信領域は、円形、楕円形、長円形、多角形、星形、雲形、扇形、その他ＸＹＺ座標上で表示可能（すなわち、レイヤの平面的配置のみならずレイヤを置く高度も指定できる）な図形であれば何でもよい。
【００４５】
本発明の第１２の態様として、第１１の態様において、上記管理サーバは、上記端末のユーザーが関わった素材情報を他の端末側が上記素材情報の配信を要求する場合、上記他の端末側に課金する課金部をさらに具備したことを特徴とする。さらに、複数のレイヤから同時に有料の素材情報を聴取した場合にも、課金できるとしてもよい。
【００４６】
上記構成を備えることにより、たとえば、無償と有償のコンテンツを重畳し、聴取したことに対し、無償と有償とを区別して有償の素材情報制作者へ報酬を与えることができ、また、広告を配信する場合にも、複数の広告を重畳して聴取した場合に対し、それぞれの状況を把握してそれぞれの広告料を算出することができることになり、つまりは、これまでにない拡張現実体験を与える（投稿者側、企業側）こと／楽しむ（視聴者側）ことをビジネスとして成立させる仕組みを、技術的もしくはシステム的に担保することができる。
【００４７】
本発明の第１３の態様として、第１２の態様において、上記課金部は、上記他の端末が上記レイヤ複合体を介して上記素材情報の一部を無料とし、残りを有料である旨が上記他の端末側で了解されたか否かを判断する第一の判断機能と、上記第一の判断機能により了解されると残りの素材情報を配信することを承認する第一の承認機能をさらに具備したとしてもよい。
【００４８】
端末側で素材情報が課金されるのか否かを判断したうえで配信を希望することにより、有料であることを知らずに配信されることにより生じる無用なトラブルを防止することができる。
【００４９】
本発明の第１４の態様として、第１２の態様において、上記課金部は、上記端末から広告が上記レイヤ複合体を介して他の端末に配信され、かつ上記広告が上記他の端末で再生されたか否かを判断する第二の判断機能と、上記第二の判断機能により再生されると上記端末側に課金することを承認する第二の承認機能をさらに具備したとしてもよい。
【００５０】
本発明の第１５の態様として、第１から第４のいずれかの態様において、上記管理サーバは、上記素材情報が配信される位置情報に加え、素材情報を閲覧できる時間情報を含むとしてもよい。
【００５１】
素材情報を閲覧できる時間情報とは、例えば、所定の期間、所定の時間帯、季節、天候、祝祭日、開店記念日、会館記念日、創立記念日及び盆暮れ正月を含む情報が挙げられる。また、素材情報が配信される位置情報に加え、いつどこでどのように配信されるのか等の情報が得られるので、配信される素材情報を効率的に利用することができる。
【００５２】
本発明の第１６の態様として、第１４の態様において、上記管理サーバは、上記端末のユーザーが関わった素材情報の口コミや上記他の端末のユーザーの嗜好に合わせてランク付けするランキング機能をさらに具備したとしてもよい。
【００５３】
ランキング機能を具備する場合には、例えば広告料に応じて上位ランクに昇格するようにしてもよい。
【００５４】
本発明の第１７の態様として、第３または４の態様において、前記端末から管理サーバを介して他の端末のレイヤ複合体に位置情報に合致した広告を掲載する広告掲載部を具備したとしてもよい。
【００５５】
本発明の第１８の態様として、第１７の態様において、上記広告掲載部は、時間情報に合致した広告を掲載するとしてもよい。
【００５６】
本発明の第１９の態様として、第１から第４のいずれかの態様において、上記管理サーバは、上記端末の位置における待ち時間を含む混雑率に関する情報を取得する混雑率情報取得部をさらに備え、上記制御部は、上記混雑率が所定の値より高い場合には上記素材情報の内容を簡略化するようにしてもよい。
【００５７】
案内サービスやガイドツアーを利用するユーザーにとって待ち時間を含む混雑率を得ることは時間を有効利用したいユーザーにとって有益な情報となりえる。
【００５８】
本発明の第２０の態様として、第１から第４のいずれかの態様において、上記素材情報の内容の簡略化には、素材情報量の増減、別バージョンの素材情報、及び重要素材情報を優先することを含むようにしてもよい。
【００５９】
時間を有効利用したいユーザーにとっては有益となる。
【００６０】
本発明の第２１の態様として、第１から第４のいずれかの態様において、上記素材情報を広告付き無料配信もしくは広告なし有料配信に切り替える配信切替部を具備したとしてもよい。
【００６１】
無料配信を希望することで出費を控えたいユーザーには有益となる。
【００６２】
本発明の第２２の態様として、第１から第４のいずれかの態様において、上記素材情報の内容に基づいて上記端末のユーザーの嗜好を分析する嗜好分析部をさらに具備し、上記制御部は、上記嗜好に基づいて素材情報を選択するようにしたとしてもよい。
【００６３】
ユーザーの嗜好に基づいた素材情報が選択できることにより、効率的に素材情報を取得することができる。
【００６４】
本発明の第２３の態様として、第２２の態様において、上記嗜好分析部は、ＡＩを用いて嗜好を分析するとしてもよい。
【００６５】
本発明の第２４の態様として、第１から第４のいずれかの態様において、上記端末のユーザーの属性を分析する属性分析部をさらに具備し、上記制御部は、上記属性に基づいて素材情報を選択するようにしてもよい。
【００６６】
ユーザーの属性に基づいた素材情報が選択できるようにすることで、嗜好に偏らない素材情報の配信が可能となる。
【００６７】
本発明の第２５の態様として、第１から第４のいずれかの態様において、速度センサをさらに備え、上記制御部は、対象物の速度情報に基づいた素材情報を上記レイヤ複合体に格納するようにしてもよい。
【００６８】
本発明の第２６の態様として、第１から第４のいずれかの態様において、加速度センサをさらに備え、上記制御部は、上記端末にかかる加速度情報に基づいた素材情報を上記レイヤ複合体に格納するようにしてもよい。
【００６９】
本発明の第２７の態様として、第２６の態様において、上記端末に設けられ、上記端末にかかる加速度を検知する加速度センサと、上記加速度センサが衝撃を検知すると画面に表示される正常ボタンと、上記正常ボタンが押された場合には、元の画面に戻り、所定の時間が経過しても上記正常ボタンが押されない場合には、管理サーバに通知するとともに異常事態が発生したことを上記出力部から周囲に救助を要請する旨のメッセージを発する合成音声発生部と、をさらに具備してもよい。
【００７０】
ユーザーが単独で行動した場合に事故や急病等の不測の事態が生じた場合でも対応が可能となる。
【００７１】
本発明の第２８の態様として、第１から第４のいずれかの態様において、上記端末に設けられ、上記端末に係る加速度を検知する加速度センサをさらに備え、上記加速度センサにより、上記端末のユーザーの歩数を計測するとともに、上記制御部は上記ユーザーの年齢、性別、及び必要に応じた最低限度の歩数と比較する歩数比較部と、上記比較部の比較結果もしくは上記ユーザーの歩数を必要に応じて上記出力部で出力するようにしてもよい。
【００７２】
ユーザーにとって必要な歩数情報を得ることでは、ユーザーの健康につながり、すなわち国民医療費の高騰の抑制が期待される。
【００７３】
本発明の第２９の態様として、第１から第４のいずれかの態様において、上記端末に設けられ、上記端末の周囲の温度を検知する温度センサをさらに備え、上記制御部は、位置情報及び上記温度センサで検知された温度情報に関連する素材情報を発生させるようにしてもよい。
【００７４】
端末の周囲温度と湿度とを検知することにより、ユーザーが熱中症となり得る状態か否かが把握でき、熱中症の予防が期待される。
【００７５】
本発明の第３０の態様として、第１から第４のいずれかの態様において、上記端末に設けられ、上記端末の周囲の湿度を検知する湿度センサをさらに備え、上記制御部は、位置情報及び上記湿度センサで検知された湿度情報に基づいた素材情報を上記レイヤ複合体から選択し上記出力部から出力させるようにしてもよい。
【００７６】
端末の周囲湿度と温度とを検知することにより、ユーザーが熱中症となり得る状態か否かが把握でき、熱中症の予防が期待される。
【００７７】
本発明の第３１の態様として、第１から第４のいずれかの態様において、上記端末に設けられ、上記端末の高度を計測する高度センサをさらに備え、上記制御部は、上記端末の高度情報に基づいた素材情報を上記レイヤ複合体から選択し上記出力部から出力させるようにしてもよい。
【００７８】
端末の高度に基づいた素材情報を得ることにより、例えば高原、丘陵地帯、山岳地帯に関する推薦コース、見どころ、火山情報、避難小屋等の素材情報が得られるので、ユーザーにとって安心感が得られる。
【００７９】
本発明の第３２の態様として、第１から第４のいずれかの態様において、上記端末の背面に設けられ外部を撮像するカメラをさらに備え、上記端末は、上記端末の背面に装備されたカメラを用いて地上の段差、開口、及び障害物を含む危険領域を検知し、警告音、警告表示、画面点滅、及びバイブレータ作動のうちの少なくとも一つを実行させるようにしてもよい。
【００８０】
近年、スマホの普及で歩きスマホによるユーザーの衝突や転落が後を絶たないところ、例えば、駅のプラットホームで転落すると、列車の運転見合わせや遅延等多大な社会的迷惑が発生することに鑑み、このような歩きスマホによるユーザーの事故を防止する効果が得られる。
【００８１】
本発明の第３３の態様として、第３２の態様において、上記端末は、上記カメラを常時動作もしくは一定間隔動作のいずれかに設定する撮像時間設定部をさらに具備したとしてもよい。
【００８２】
撮像時間を一定間隔動作とすることでバッテリーの節電効果が期待される。
【００８３】
本発明の第３４の態様として、第１から第４のいずれかの態様において、上記端末は、少なくとも近距離通信受信部により地上の段差、開口、及び障害物を含む危険領域を検知し、警告音、警告表示、画面点滅、及びバイブレータ作動のうちの少なくとも一つを実行させるようにしてもよい。
【００８４】
歩きスマホによる事故の防止が期待される。
【００８５】
本発明の第３５の態様として、第１の態様から第３２の態様のいずれかの態様において、上記端末のユーザーは素材情報の聴取、視聴、投稿、広告のうちのいずれも可能であるようにしてもよい。
【００８６】
本発明の第３６の態様は、第１から第４のいずれかの態様において、上記端末は、上記レイヤ複合体に格納された素材情報が格納容量を超える場合には自動的に古い素材情報から消去されて新たな素材情報が上書きされることを許可する上書き許可部を具備したことを特徴とする。
【００８７】
端末の記憶容量が不足した場合に有効である。
【００８８】
本発明の第３７の態様として、第１から第４のいずれかの態様において、上記端末は、通常はプッシュ型情報配信モードであり、必要に応じてプル型情報配信モードに切り替えた後上記プッシュ型情報配信モードに切り替えるモード切替部をさらに具備したとしてもよい。
【００８９】
本発明の第３８の態様として、第１から第４のいずれかの態様において、上記端末が上記レイヤ複合体に格納された素材情報のうちの再生した素材情報、再生回数及び再生時間を含む再生情報を上記管理サーバに送信するアプリケーションソフトウェアを上記管理サーバから配信可能であるようにしてもよい。
【００９０】
本発明の第３９の態様として、第１から第４のいずれかの態様において、上記端末は、上記レイヤ複合体に格納された素材情報のうちの再生した素材情報、再生回数及び再生時間を含む再生情報を上記管理サーバに送信する再生情報送信部をさらに具備したとしてもよい。
【００９１】
本発明の第４０の態様として、第１から第４のいずれかの態様において、端末の位置情報を取得し、少なくとも取得した位置情報に関連する素材情報をレイヤ複合体に格納し、格納した素材情報をどのように経時的に展開するのかを規定し、上記規定に基づいて経時的に情報を出力するようにしてもよい。
【００９２】
本発明の第４１の態様として、第１から第４のいずれかの態様において、前記素材動作指示はＡＩが行うようにしてもよい。
【００９３】
上記課題を解決するために、本発明の情報処理方法に係る態様は、素材情報をレイヤ複合体に格納し、前記レイヤ複合体に格納された素材情報をどのように経時的に展開するのかを規定し、前記規定に基づいて前記素材情報を展開して出力することを特徴とする。
【００９４】
上記課題を解決するために、本発明のプログラムに係る態様は、コンピュータ読み取り可能なプログラムであって、上記コンピュータに、素材情報ツをレイヤ複合体に格納する第一の機能と、上記レイヤ複合体に格納した素材情報をどのように経時的に展開するのかを規定する第二の機能と、上記第二の機能によりなされた規定に基づいて経時的に素材情報を出力する第三の機能と、を実行させるためのコンピュータ読み取り可能なプログラムであることを特徴とする。
【００９５】
上記課題を解決するために、本発明の記録媒体に係る態様は、第４３の態様のプログラムを記録したことを特徴とする。
【発明の効果】
【００９６】
展示会場等において、好みに合わせて解説者、解説画像、効果音、効果画像、グラフ、ＢＧＭ、館内放送等の素材情報を選択的に聴取したり、ある場所やある時間に応じて素材情報を聴取したり画像を視聴したりすることができる。これまでの素材情報作りにおいて、１トラックに一括で録音などされていたために、気象条件や、時間帯、混在状況に応じた素材情報を提供したい場合などに、すべて準備するのは手間がかかるという問題に対し、レイヤ複合体の思想を採用し、必要な部分だけを重畳することで解決することができる。
【００９７】
さらに、外部からの投稿などにより、レイヤを追加することで、素材情報のバラエティーを飛躍的に向上させ、他の製作者の音声ガイドレイヤを選択することにより、その場所の楽しみ方を無限に作り出すことが可能である。
【００９８】
また、投稿者がＢＧＭ、解説、効果音などのすべてを製作する必要はなく、他の製作者のレイヤを組み合わせることで可能となる。
【００９９】
さらに、広告を含んだレイヤの投稿を可能にすることによって、前記広告レイヤを選択した他の製作者に金銭的な報酬を与えることもできる。
【０１００】
また、博物館等でユーザーの顔の向きに応じて効果音や解説者の声を変えることもできる。
【０１０１】
さらに、解説者の声質をユーザーの年齢、性別に応じた声質あるいはユーザーの好みのたとえば、有名人の声質にすることもできる。
【図面の簡単な説明】
【０１０２】
【図１】本発明の一実施形態に係る情報処理システムをネットワーク上に構築する例を示す図である。
【図２】図１に示した情報処理システムに用いられる管理サーバのハードウェアブロック図の一例である。
【図３】図２に示した管理サーバの機能ブロック図の一例である。
【図４】図１に示した端末１１のハードウェアブロック図の一例である。
【図５Ａ】図４に示した端末１１の機能ブロック構成を示す一例の一部である。
【図５Ｂ】図５Ａの続きである。
【図５Ｃ】図５Ｂの続きである。
【図５Ｄ】図５Ｃの続きである。
【図６Ａ】博物館の実空間の一例である。
【図６Ｂ】図６Ａに示した博物館の実空間とレイヤとを重畳させたイメージを示す模式図の一例である。
【図７】図１に示した情報処理システムにおいて素材情報を作成する管理サーバ側の処理フロー図の一例である。
【図８】図１に示した情報処理システムにおいて素材情報を受ける端末１１と管理サーバとの間の処理フロー図の一例である。
【図９】図１に示した情報処理システムにおける端末１１側の受信処理の一例を示す処理フロー図の一例である。
【図１０】図１に示した情報処理システムにおける素材情報作成に関して場所と素材情報との関係を説明する説明図の一例である。
【図１１Ａ】図１に示した情報処理システムを用いて案内ツアーを設定せずに屋外移動及び屋内移動を行う場合の動作を説明するためのフロー図の一例の一部である。
【図１１Ｂ】図１１Ａの残りである。
【図１２】図１に示した情報処理システムにおける端末１１側での投稿操作を説明するための説明図である。
【図１３】図１に示した情報処理システムにおける端末１１側での投稿操作を説明するための説明図である。
【図１４】図１に示した情報処理システムにおける端末１１側での投稿操作を説明するための説明図である。
【図１５】図１に示した情報処理システムにおける端末１１側での投稿操作を説明するための説明図である。
【図１６】図１に示した情報処理システムにおける端末１１側での投稿操作を説明するための説明図である。
【図１７】図１に示した情報処理システムにおける端末１１側での投稿操作を説明するための説明図である。
【図１８】図１に示した情報処理システムを用いて端末１１のユーザーが投稿する場合の動作を示すフロー図の一例である。
【図１９Ａ】図１に示した情報処理システムを用いて端末１１が案内コースに従って移動する場合のフロー図の一例である。
【図１９Ｂ】図１９Ａの残りである。
【図２０】図１に示した情報処理システムを博物館に適用した場合のミュージアムの一例を示す図である。
【図２１Ａ】図１に示した情報処理システムを適用した博物館におけるレイヤの配置状態イメージを示す平面図である。
【図２１Ｂ】図２１Ａに示した博物館におけるビーコンの配置図の一例である。
【図２２】図１に示した情報処理システムにおける素材情報の構成例を示しており、対象となる空間とビーコン送信部との関係を示す図の一例である。
【図２３】図１に示した情報処理システムにおける端末１１に表示される地図の一例である。
【図２４】図１に示した情報処理システムに用いられる端末１１の画面の一例である。
【図２５】図１に示した情報処理システムを展示施設に適用した場合の端１１末の表示画面の一例を示す図である。
【図２６】図１に示した情報処理システムを展示作品に適用した場合の端末１１の画面の一例を示す図である。
【図２７】図１に示した情報処理システムを適用した端末１１の画面の一例である。
【図２８】図１に示した情報処理システムを屋外の行動領域に適用した場合の端末の画面の一例を示す図である。
【図２９】図１に示した情報処理システムに用いられた端末１１に行動範囲を示すとともに操作例を説明する図の一例である。
【図３０】図１に示した情報処理システムを展示施設に適用した場合の一例を示す図である。
【図３１】図１に示した情報処理システムを展示施設に適用した場合の端末１１の開始画面の一例を示す図である。
【図３２】図１に示した情報処理システムを端末１１の案内画面に適用した図の一例である。
【図３３】図１に示した情報処理システムを展示施設に適用した場合の端末１１の操作例の一例を示す図である。
【図３４】図１に示した情報処理システムを展示施設に適用した場合の端末１１の画像の一例である。
【図３５】図１に示した情報処理システムを屋外に適用した場合の説明図の一例である。
【図３６】図１に示した情報処理システムを屋外に適用した場合の説明図の他の一例である。
【図３７】図１に示した情報処理システムを屋外に適用した場合の説明図の他の一例である。
【図３８】案内コースを歩く複数の端末１１のユーザーＵ１、Ｕ２が建物の入り口から展望台に続く通路内にいる状態を示している。
【図３９】図３８に示したユーザーＵ１、Ｕ２が展望台に到達した状態を示す図である。
【図４０】図３８に示したユーザーＵ１、Ｕ２が展望台から見た港湾の一例である。
【図４１】図４０に示した展望台が閉店時間になった状態を示す港湾の一例である。
【図４２】図１に示した情報処理システムを展示室に適用した場合の一例を示す図である。
【図４３】博物館における展示物の投稿についての作成画面の一例である。
【図４４】図１に示した情報処理システムを用いてユーザーＵ３が電車の素材情報を再生している状態を示す説明図である。
【図４５Ａ】図１に示した情報処理システムに用いられる端末で雲ＣＬのかかった富士山ＭＦをモニタしている場合の一例を示す図である。
【図４５Ｂ】図４５Ａに示した端末の濃淡ボタンを調整した場合の一例である。
【発明を実施するための形態】
【０１０３】
＜＜構成＞＞
＜ネットワーク構成＞
図１は、本発明の一実施形態に係る情報処理システムをネットワーク上に構築する例を示すシステム構成図である。
【０１０４】
同図に示されるように、ネットワーク１４に管理サーバ１３及び複数の端末（例えばスマホ、タブレット、もしくはパーソナルコンピュータ）１１が接続されている。端末１１のうち括弧書きの１１ａは、後述する広告主側（課金の受け取り側）の端末を示し、１１ｂは、広告を含む素材情報や有料の素材情報を取得する側（課金の支払い側）の端末を示す符号である。
【０１０５】
ＧＰＳ衛星からの信号を受信する全地球測位部としてのＧＰＳ受信部１５は、屋外における端末１１の位置情報信号を把握する機能を有する。近距離通信受信部としてのビーコン信号を発信するビーコン送信部１２は、例えば低消費電力の近距離無線技術（Ｂｌｕｅｔｏｏｔｈ  Ｌｏｗ  Ｅｎｅｒｇｙ：ＢＬＥ）を利用した位置特定デバイスである（Ｂｌｕｅｔｏｏｔｈは登録商標）。ビーコン信号は、端末１１のブルーツース機能をオンにしている状態で専用のアプリケーションソフトウェア（以下、アプリ）をインストールしていれば、建物の中や地下でも受信できるようになっている。
【０１０６】
＜管理サーバのハードウェア構成＞
図２は、図１に示した情報処理システムに用いられる管理サーバのハードウェアブロック図の一例である。
【０１０７】
図２に示す管理サーバ１３は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２、ＲＡＭ（Ｒａｎｄｏｍ  Ａｃｃｅｓｓ  Ｍｅｍｏｒｙ）３３、インターフェース３４、入出力ポート３５、及びＨＤＤ（Ｈａｒｄ  Ｄｉｓｃ  Ｄｒｉｖｅ）３６を具備している。
【０１０８】
ＣＰＵ３１は、管理サーバ１３を統括制御、すなわち、命令を読み出し解読して実行する素子であり、例えばマイクロプロセッサが挙げられる。ＣＰＵ３１は、ＲＯＭ３２のどの位置から命令を読み出すかを示す番地が保存されているプログラムカウンタと、ＲＯＭ３２から読み出した命令を解読する命令デコード回路と、算術演算や論理演算を行う演算回路と、一時的に情報を保存する内部レジスタとを有する素子である。
【０１０９】
ＲＯＭ３２は、電源を落としても内容が消去されない不揮発性の記憶素子であり、例えばマスクＲＯＭがあげられる。ＲＯＭ３２は管理サーバ１３の制御プログラムを格納している。
【０１１０】
ＲＡＭ３３は、ＲＯＭ３２から読み出された制御プログラムを展開して一時的に記憶する素子であり、例えばＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）が挙げられる。
【０１１１】
ＳＲＡＭとは、読み書きを自由に行える揮発性の半導体メモリの一種で、一定時間ごとに記録内容の再書き込み処理(リフレッシュ)を行う必要のないものである。ＤＲＡＭとは、半導体素子を利用した記憶装置の一つで、記憶内容の維持のために繰り返し再書き込み動作を行う必要があるタイプのものである。
【０１１２】
インターフェース３４は、ネットワーク１４を介して外部の端末１１を含む通信機器と情報を授受する装置である。
【０１１３】
入出力ポート３５は、キーボード、モニタもしくはプリンタ等の機器と接続するポートである。
【０１１４】
ＨＤＤ３６は、ＲＡＭ３３よりも大容量の記録装置である。ＨＤＤ３６は、素材情報としての音声データ、画像データ、もしくは文字情報データを位置情報や時間情報に紐づけて格納する装置である。音声データとしての解説群、効果音群、及びＢＧＭ群等の音声や、説明のための文字情報群、静止画像群、及び動画像群等の画像は、それぞれ分野ごと、地域ごと、天候ごと、季節ごと、期間ごと、時間帯ごとに仕分けされて、ホルダ形式で格納されており、端末１１からの要請に応じて選択され経時的に規定されて、すなわちどの素材情報をどの位置でどのタイミングで再生するかが規定された素材情報が端末１１に配信されるようになっている。
【０１１５】
本願の一実施形態は少なくとも以下のような特徴を有する。
・ＢＧＭ、解説（学芸員や有名人の解説含む）、効果音等の音声が、それぞれ独立した「レイヤ」となっており、
・ユーザー（端末１１の使用者：小学生、若い女性、年配男性等）は複数用意されている素材情報の中から任意のものを選択して組み合わせることができる（自分だけの音環境もしくは画像を含む音環境を実現できる）
・それぞれのレイヤは下記のような条件・機能等により独立又は連動して変化する。
・ユーザーのいる場所の、日時、時刻、気象条件、混雑具合を示す情報を含む。
・ユーザーの端末１１に搭載されている各センサ（方位センサ、３次元ジャイロ、加速度センサ、ＧＰＳ受信部、ビーコン受信部等）によって検知されるユーザーの詳細な状態を示す情報を含む。
・各レイヤは一般の人や外部の企業が作ることができ、かつ投稿できる（販売、買取り、斡旋も可能）。
・素材情報の制作者は、その再生回数に応じてスポンサー企業から広告料を得ることができる。
・時間軸上の設計が可能であり、例えばこの時間ならこのレイヤ、この時間ならこのレイヤというように指定でき、気象条件、位置情報、天気情報、もしくは時間情報を管理サーバに上げることで管理サーバがレイヤの動きを指示することができる。
・管理サーバ側で端末がどのようなアプリを選択したかが把握できる。
【０１１６】
尚、ＨＤＤ３６の代わりに例えばＳＳＤ（Ｓｏｌｉｄ  Ｓｔａｔｅ  Ｄｒｉｖｅ）やフラッシュメモリを用いてもよい。
【０１１７】
図６Ａは、博物館の実空間を概念的に表した透視図的概念図の一例であり、図６Ｂは、図６Ａに示した博物館の実空間とレイヤとを重畳させたイメージを示す透視図的模式図の一例である。
【０１１８】
図６Ａ、６Ｂの実空間におけるエリアＡＲ１、ＡＲ３はギャラリー、エリアＡＲ２はスクエア、エリアＡＲ４はカプセル、エリアＡＲ５はフォーラム、エリアＡＲ６はホワイエ、エリアＡＲ７はインフォメーション、エリアＡＲ８はトイレ、及びエリアＡＲ９はクロークを示す。
【０１１９】
図６Ｂに示す博物館に矩形状に示すサウンド（解説、ＢＧＭ、効果音等）のレイヤＬ１、Ｌ２、Ｌ３、…、Ｌｎが積層配置された状態となっている。各レイヤＬ１、Ｌ２、Ｌ３、…、Ｌｎは、前述したように、本来、膜（フィルム）のイメージがあるが、本出願では多数の素材情報を組み合わせて、同一領域で素材情報の雲（もしくは霧）が重なった状態で選択組み合わせ可能なものを表すものであり、便宜的に多数の素材情報のレイヤが積層するイメージが本願の概念を理解しやすいと考えた結果、本発明者が用いた用語である。
【０１２０】
レイヤ複合体は、例えば管理サーバ１３のＲＡＭ３３及び／もしくはＨＤＤ３６によって構成されるメモリ空間の所定のアドレス群で特定される領域を素材情報の領域とし素材情報の集合体をホルダとして利用するものである。
【０１２１】
各レイヤＬ１、Ｌ２、Ｌ３、…、Ｌｎは、複数の素材情報の中から、位置情報と時間情報とが合致したものが、レイヤ複合体化されてユーザーが見たり聴いたりできるようになっている。
【０１２２】
各レイヤＬ１、Ｌ２、Ｌ３、…、Ｌｎはそれぞれ、ユーザーからの投稿や、広告なども含め、複数の素材情報をさらに含んでいてもよい。例えば、レイヤＬ１が解説者Ａによる長めの解説１、解説者Ａによる標準時間の解説２、解説者Ａによる短めの解説３、解説者Ｂによる長めの解説４、解説者Ｂによる標準時間の解説５、解説者Ｂによる短めの解説６、英語を母国語とする解説者Ｃによる長めの解説７、英語を母国語とする解説者Ｃによる標準時間の解説８、英語を母国語とする解説者Ｃによる短めの解説９を含み、レイヤＬ２がクラシックによるＢＧＭ１、映画音楽によるＢＧＭ２、歌謡曲によるＢＧＭ３、ジャズによるＢＧＭ４を含み、レイヤ３が海波の音による効果音１、街中の喧騒による効果音２、小川の音による効果音３を含み、レイヤ４が解説用静止画像１、解説用動画像２、解説用文字情報（聾唖者向け）３を含み、レイヤ５が館内案内図、展示時間、イベント予定、休業日を含み、レイヤ６が見学者の感想文、要望、意見、質問、質問に対する主催者側の回答を含み、レイヤ７が、レイヤ８が…というように各素材情報を各レイヤに格納することができ、レイヤの数は任意の数に設定でき、状況に応じて増加、減少させてもよい。
【０１２３】
各レイヤＬ１〜Ｌｎは、ソフトウェア的には例えば複数のホルダの集合体であり、ハードウェア的には管理サーバ１３内のＨＤＤ３６のアドレスとデータとで決定されるメモリ空間である。
【０１２４】
＜管理サーバの機能ブロック構成＞
図３は、図２に示した管理サーバの機能ブロック図の一例である。
【０１２５】
図３に示す管理サーバ５０は、記憶部５１、入出力部５２、制御部５３、及び通信部５４を備える。記憶部５１は管理サーバ１３の制御プログラムを格納し、制御プログラムを展開し、例えば、図２に示したＲＯＭ３２、ＲＡＭ３３、及びＨＤＤ３６によって実現される。
【０１２６】
入出力部５２は、管理サーバ１３の始動、管理データのインストール、バージョンアップ、メンテナンス等のための操作を行うためのものであり、例えば、図２に示した入出力ポート３５によって実現される。
【０１２７】
制御部５３は、管理サーバ１３を統括制御するものであり、例えば、図２に示したＣＰＵ３１、ＲＯＭ３２、及びＲＡＭ３３によって実現される。管理サーバ１３は、素材情報が配信される位置情報に加え、所定の期間、所定の時間帯、季節、天候、祝祭日、開店記念日、開館記念日、創立記念日、及び盆暮れ正月を含む情報のうちの少なくとも一つを加えることができる。また、管理サーバ１３は、端末１１のユーザーが作成に関わった素材情報の口コミや他の端末のユーザーの嗜好に合わせてランク付けするランキング機能をさらに具備してもよい。ランキング機能を具備する場合には、例えば広告料に応じて上位ランクに昇格するようにしてもよい。また、素材情報の内容の修正には、素材情報量の増減、別バージョンの素材情報、及び重要素材情報を優先するようにしてもよい。
【０１２８】
通信部５４は、外部の機器とネットワーク１４を介して情報を授受するものであり、例えば、図２に示したインターフェース３４によって実現される。
【０１２９】
＜端末１１のハードウェア構成＞
図４は、図１に示した端末１１のハードウェアブロック図の一例である。
【０１３０】
図４に示す端末１１は、ＣＰＵ１０１、ＲＯＭ１０２、ＲＡＭ１０３、ＳＳＤ１０４、インターフェース１０５、ＧＰＳ受信部１０６、ビーコン受信部１０７、速度センサ１０８、Ａ／ＤＣ１０９、マイク１１０、Ｄ／ＡＣ１１１、スピーカー１１２、駆動回路１１３、タッチパネル１１４、駆動回路１１５、バイブレータ１１６、計時部１１７、加速度センサ１１８、正常ボタン１１９、カメラ１２０、温度センサ１２１、湿度センサ１２２、高度センサ１２３、及び方位センサ１２４を具備している。
【０１３１】
ＣＰＵ１０１、ＲＯＭ１０２、及びＲＡＭ１０３については図２に示したＣＰＵ３１、ＲＯＭ３２、及びＲＡＭ３３と同様の構成のため説明を省略する。
【０１３２】
ＳＳＤ１０４は、半導体集積回路によって構成されＲＡＭ１０２よりも大容量の記憶素子であり、振動、衝撃、及び湿気に強いためスマホやパーソナルコンピュータに多用されている。
【０１３３】
インターフェース１０５は、図２に示したインターフェース３４と同様の構成のため説明を省略する。
【０１３４】
ＧＰＳ受信部１０６は、高度約２万ｋｍを飛行する約３２機の測位衛星が発信する信号を受信することで端末１１の現在位置を特定する装置である。測位衛星には、正確な時計が搭載されており、測位衛星はその時刻と軌道の情報とを電波に乗せて発信し、ＧＰＳ受信部１０６でその情報を受信すると、発信されてから届くまでの時間差を算出するようになっている。この時間差と光速とを乗算することで、測位衛星とＧＰＳ受信部１０６との間の距離を図ることができる。４機の測位衛星からの距離がわかると、理論上は３次元空間での位置が決まるのである。
【０１３５】
ビーコン受信部１０７は、Ｂｌｕｅｔｏｏｔｈ（登録商標）と呼ばれる近距離通信を用いて定期的にデータを送信するビーコン送信部からのビーコン信号を受信する。このビーコン信号が含むデータと、データを受信したときの電波強度とを用いて、位置情報や商品情報等種々のサービスに利用することができる。ビーコン受信部１０７は、複数のビーコン信号を受信でき、運用場面ごとに適切な測位方法を設定することができる。
【０１３６】
ビーコン送信部とビーコン受信部とを用いた測位としては、例えば１点測位、２点測位、及び３点測位が挙げられる。１点測位は、配置したビーコン送信部の近傍に「いる」か「いない」か、を検知することに向いている測位である。作業現場などにおいて作業者の存在を知ることに適している。２点測位は、配置したビーコン送信部の、２点で結んだ直線上の位置を検知することに向いている測位である。通路上における位置を知ることに適している。３点測位は、配置したビーコン送信部３点の範囲で位置を検知することに向いている測位である。現場内、店舗上などの平面空間においてよりリアルな位置を知ることに適している。
【０１３７】
１点測位の場合、店舗内で特定のクーポン発行に利用したり、博物館や美術館内で展示物ごとの解説のポイントに利用したりすることができる。すなわち、商品棚に設置したビーコン送信部に、顧客が任意でスマホを近づけると限定のクーポンやスタンプラリー等を配信することができる。絵画に端末１１が接近するとユーザー好みの解説者の解説、ユーザー好みの音楽や効果音が再生されるようにできる。
【０１３８】
３点測位の場合、展示会場内に設置したビーコン送信部の電波を、端末１１のビーコン受信部１０７で検知した情報を管理サーバ１３で動線や端末１１の台数を把握する。端末１１の動線や滞留場所を把握することで、混雑率や待ち時間の把握に活かすことができる。また館内情報や店内情報やお買い得商品が自動的にスマホに配信され、見学客や買い物客のサポートすることも可能になる。
【０１３９】
また、近年多発している駅のプラットホーム上でのいわゆる「歩きスマホ」による転落を防止するため、プラットホームの縁に所定の間隔でビーコン送信部を配置しておき転落する前に端末１１に信号を発信し、例えば画面を点滅させたり、警告音を発生させたり、バイブレータを作動させたりすることが挙げられる。
【０１４０】
速度センサ１０８は、端末１１から見た物体の移動速度を検知するセンサであり、スピードガンのように速度を測定する。
【０１４１】
Ａ／ＤＣ１０９は、アナログ／デジタル信号変換器であり、入力したアナログ形式の信号をデジタル形式の信号に変換する装置である。
【０１４２】
マイク１１０は、入力した音声をアナログ形式の信号に変換する装置であり、例えばコンデンサマイクが挙げられる。
【０１４３】
Ｄ／ＡＣ１１１は、デジタル／アナログ信号変換器であり、入力したデジタル形式の信号をアナログ形式の信号に変換する装置である。
【０１４４】
スピーカー１１２は、入力したアナログ形式の信号を音声に変換する装置であり、例えばダイナミックスピーカーが挙げられる。
【０１４５】
駆動回路１１３は、タッチパネル１１４を駆動する回路である。タッチパネル１１４は、液晶パネルや有機ＥＬ（Ｅｌｅｃtｒｏ  Ｌｕｍｉｎｅｓｃｅｎｃｅ）のような表示装置とタッチパッドのような入力装置とを組み合わせた電子部品であり、画面上のアイコンを押すことで機器を操作する装置である。
【０１４６】
駆動回路１１５はバイブレータ１１６を駆動する回路である。バイブレータ１１６は、端末１１に振動を与えることでユーザーにメール受信や電話着信やその他の注意を促す装置である。
【０１４７】
計時部１１７は、内部クロック（水晶発信器を利用した汎用のクロック）を利用して動作する時計であり、一定のタイミングごとに電波を受信して補正する回路であるが、電波時計であってもよい。また、タイマー動作やカウント動作をするように構成してもよい。
【０１４８】
加速度センサ１１８は、端末１１に加わった加速度を検知するセンサであり、例えば、ＭＥＭＳ（Ｍｉｃｒｏ  Ｅｌｅｃｔｒｏ  Ｍｅｃｈａｎｉｃａｌ  Ｓｙｓｔｅｍｓ）技術を使った半導体センサ（静電容量型、ピエゾ抵抗型、及びガス温度分布型）が挙げられる。
【０１４９】
加速度センサ１１８により、端末１１のユーザーの歩数を計測するとともに、ユーザーの年齢、性別、及び必要に応じた最低限度の歩数と比較する歩数比較部により比較し、比較結果もしくは必要に応じて比較結果を出力するようにしてもよい。
【０１５０】
正常ボタン１１９は、例えば端末１１をユーザーが落下したり、端末１１のユーザーが突然倒れたりしたときに発生した加速度を加速度センサ１１８で検知すると、端末１１の画面に安否確認のメッセージ（例えば、「大丈夫ですか？：（正常）」）が表示され、単なる端末１１の落下の場合に端末１１のユーザーが所定の時間（例えば、５秒）以内に押すと消え、所定の時間が経過しても押されない場合に、異常事態（例えばユーザーが何らかの原因で倒れて意識不明となった場合）が発生した旨の通知信号が管理サーバ１３に送られるようになっている。この場合、端末１１から周囲に異常事態が発生した旨の合成音声が発音されたり、緊急事態を知らせるサイレン音が発音されたりしてもよい。
【０１５１】
カメラ１２０は、端末１１の背面に設けられ、端末１１から見た対象物を撮像する装置であり、例えばＣＣＤ（Ｃｈａｒｇｅ  Ｃｏｕｐｌｅｄ  Ｄｅｖｉｃｅ：電荷結合素子）カメラが挙げられる。カメラ１２０は、例えば、「歩きスマホ」をしているときにプラットホームの端部や路上の溝、地上の段差、開口、及び障害物を含む危険領域を検知し、警告音、警告表示、画面点滅、及びバイブレータ作動のうちの少なくとも一つを実行させ、ユーザーが転落するのを未然に防止するようにしてもよい。この場合にはカメラ１２０を常時動作もしくは一定間隔動作のいずれかを設定するようにしてもよい。
【０１５２】
温度センサ１２１は、端末１１の周囲温度を検知するセンサであり、例えばサーミスタが挙げられる。温度センサ１２１で検知された温度情報に関連する素材情報を発生させるようにしてもよい。
【０１５３】
湿度センサ１２２は、端末１１の周囲湿度を検知するセンサである。湿度センサを大きく分けると高分子抵抗式と高分子静電容量式との２種類に分類される。主流なのは高分子静電容量式であるが、シェアは少ないものの高分子抵抗式にも優れた特性がある。湿度センサは共に湿分を吸湿したり、脱湿したりする感湿材を用い、電極間を橋渡ししている構造になっている。検知信号を電気抵抗で捉えるのが高分子抵抗式湿度センサであり、検知信号を電気容量で捉えるのが高分子静電容量式湿度センサである。
【０１５４】
位置情報及び湿度センサ１２２で検知された湿度情報に基づいた素材情報をレイヤ複合体から選択し組み合わせるようにしてもよい。
【０１５５】
高度センサ１２３は、ガラス基板の上にエッチングで小さな空洞（ダイヤフラム）を設けたシリコン層の屋根部にあたる薄いシリコン面に、ピエゾ抵抗部（歪ゲージ、ストレインゲージ）が形成されたものであり、気圧変化などによりダイヤフラムの上の薄いシリコン面が撓むと、歪ゲージのピエゾ抵抗効果により電気抵抗値が変化し、電子回路で処理・増幅して圧力を表示するものである。高度センサ１２３を用いることで、端末１１の位置情報及び高度情報に基づいた素材情報をレイヤ複合体から選択し出力するようにしてもよい。
【０１５６】
方位センサ１２４は、ホール効果を用いて磁束密度を測定するセンサであり、磁束密度に比例した電圧を出力する。方位センサ１２４としてはホールセンサとＭＲセンサとが挙げられる。ホールセンサは、ホール効果を利用して磁石が発する磁界や電流が発する磁界を電気信号に変換して出力する非接触型の磁気センサである。
【０１５７】
ここで、ホール効果とは物質に流れる電流に対して垂直方向に磁場を印加すると、電流と磁場の両方に直交する方向に起電力が現れる現象である。
【０１５８】
ＭＲ(Ｍａｇｎｅｔｏ  Ｒｅｓｉｓｔａｎｃｅ)センサは、磁気抵抗効果センサともいい、個体の電気抵抗が磁界によって変化するのを利用して磁地場の大きさを測定するセンサである。ホールセンサに比べ感度が高く、消費電力も小さいことから、使用頻度が多くなっている磁気センサである。電子コンパスなどの地磁気検出用途のほか、モータの回転、位置検出用途などに用いられる。ＭＩ（Ｍａｇｎｅｔｏ  Ｉｍｐｅｄａｎｃｅ）センサは特殊なアモルファスワイヤを使用し、その磁気インピーダンス効果を応用した次世代磁気センサである。ホールセンサに対して１０，０００倍以上も感度に優れており、地磁気の微小な変化も高精度の測定が可能である。
【０１５９】
方位センサ１２４を用いることにより、端末１１をほぼ水平になるように保持したときにどの方位を向いているかが把握できる。
【０１６０】
尚、端末１１は、ジャイロセンサを備えてもよい。加速度センサは端末１１のまっすぐな動きを測るが、ジャイロセンサは端末１１の「回転」や「向き」を測るものであり、パノラマ写真撮影や、地図アプリに利用できる。
【０１６１】
＜端末１１の機能ブロック構成＞
図５Ａは、図４に示した端末１１の機能ブロック構成を示す一例の一部であり、図５Ｂ〜図５Ｄは、図５Ａの残りである。
【０１６２】
図５Ａ〜図５Ｄに示す端末１１は、位置情報取得部２００、記憶部２０１、レイヤ複合体２０２、出力部２０３、全地球測位部２０４、近距離通信受信部２０５、レイヤ選択組合せ部２０６、方位情報取得部２０７、広告掲載部２０８、制御部２０９、上書き許可部２１０、混雑率取得部２１１、配信切替部２１２、分析部２１３、合成音声発生部２１４、入力部２１５、撮像部２１６、操作表示部２１７、モード切替部２１８、通信部２１９、投稿部２２０、課金部２３０、検知部２４０、非素材情報取得部２５０、再生情報送信部２５１、素材情報変更部２５２、及び撮像時間設定部２６０を備える。分析部２１３は、嗜好分析部２１３ａ及び属性分析部を具備してもよい。また、制御部２０９は音声処理部２５を具備してもよい。
【０１６３】
図５Ｂに示す投稿部２２０は、投稿位置指定機能２２１、ファイル指定機能２２２、領域指定機能２２３、格納機能２２４、及び閲覧時間指定機能２２５を備える。
【０１６４】
図５Ｃに示す課金部２３０は、第一の判断機能２３１、第一の承認機能２３２、第二の判断機能２３３、及び第二の承認機能２３４を備える。
【０１６５】
図５Ｄに示す検知部２４０は、速度検知機能２４１、加速度検知機能２４２、温度検知機能２４３、湿度検知機能２４４、高度検知機能２４５、及び方位検知機能２４６を備える。
【０１６６】
図５Ａにおいて、位置情報取得部２００は、端末１１の現在の位置情報を取得するものであり、例えば図４に示したＧＰＳ受信部１０６及びビーコン受信部１０７によって実現される。
【０１６７】
記憶部２０１は、端末１１の制御プログラムを格納したり、展開したりする部分、を備え、例えば図４に示したＲＯＭ１０２、ＲＡＭ１０３、及びＳＳＤ１０４によって実現される。
【０１６８】
出力部２０３は、音声、文字情報、静止画像、もしくは動画像を出力するものであり、例えば、図４に示したＤ／ＡＣ１１１、スピーカー１１２、駆動回路１１３、及びタッチパネル１１４のモニタによって実現される。
【０１６９】
全地球測位部２０４は、ＧＰＳ衛星から位置情報を取得する受信部であり、主に屋外の銅像や店舗等の位置情報に紐づいた素材情報の取得に使用され、例えば図４に示したＧＰＳ受信部１０６によって実現される。
【０１７０】
近距離通信受信部２０５は、ビーコン送信部から位置情報を取得する受信部であり、主に博物館や美術館等の屋内で位置情報に紐づいた素材情報の取得に使用され、例えば図４に示したビーコン受信部１０７によって実現される。
【０１７１】
レイヤ選択組合せ部２０６は、レイヤ複合体２０２の中から素材情報のうちの少なくとも一つを選択して組み合わせるものであり、例えば図４に示したＣＰＵ１０１、ＲＯＭ１０２、ＲＡＭ１０３、及びＳＳＤ１０４によって実現される。
【０１７２】
方位情報取得部２０７は、複数の素材情報のうちの方位情報付きの音声を取得する端末１１を携帯したユーザーの顔の向き、耳の位置を推定した方位情報を端末１１から取得するものであり、例えば、図４に示したカメラ１２０及び方位センサ１２４によって実現できる。
【０１７３】
広告掲載部２０８は、端末１１から管理サーバ１３を介して他の端末のレイヤ複合体に位置情報に合致した広告を掲載するものであり、例えば、図４に示したＣＰＵ１０１、ＲＯＭ１０２、ＲＡＭ１０３、及びＳＳＤ１０４によって実現される。
【０１７４】
制御部２０９は、レイヤ、レイヤ複合体、もしくはシナリオ付きレイヤ複合体に格納した素材情報のうちどの素材情報をどのように経時的に展開するのか、あるいは位置情報に基づいたり、位置情報及び方位情報に基づいたりして展開するのかを規定するものであり、例えば、図４に示したＣＰＵ１０１、ＲＯＭ１０２、ＲＡＭ１０３によって実現される。制御部２０９は、混雑率が所定の値より高い場合には素材情報の内容を簡略化する、あるいは簡略化された素材情報に切り替える機能、ユーザーの嗜好に基づいて素材情報を選択する機能、位置情報及び速度情報に基づいた素材情報をレイヤ複合体２０２に格納する機能、位置情報及び加速度情報に基づいた素材情報をレイヤ複合体２０２に格納する機能、位置情報及び湿度センサで検知された湿度情報に基づいた素材情報をレイヤ複合体２０２から選択し出力部から出力させる機能、端末１１の位置情報及び高度情報に基づいた素材情報をレイヤ複合体２０２から選択し出力部から出力させる機能を有する。
【０１７５】
上書き許可部２１０は、レイヤ複合体２０２に格納された素材情報が格納容量を超える場合には自動的に古い素材情報から消去されて新たな素材情報が上書きされることを許可するものであり、例えば、図４に示したＣＰＵ１０１、ＲＯＭ１０２、ＲＡＭ１０３によって実現される。
【０１７６】
混雑率情報取得部２１１は、管理サーバ１３側である位置における端末１１の数量を把握することで混雑率に関する情報や待ち時間に関する情報を取得するものであり、例えば、図４に示したビーコン受信部１０７、ＣＰＵ１０１、ＲＯＭ１０２、ＲＡＭ１０３によって実現される。制御部２０９は、混雑率が所定の値より高い場合には素材情報の内容を簡略化するように制御する。
【０１７７】
配信切替部２１２は、素材情報を広告付き無料配信もしくは広告なし有料配信に切り替えるものであり、例えば、図４に示したＣＰＵ１０１、ＲＯＭ１０２、ＲＡＭ１０３によって実現される。
【０１７８】
分析部２１３ａは、素材情報の内容に基づいて端末１１のユーザーの嗜好を分析するものであり、例えば、図４に示したＣＰＵ１０１、ＲＯＭ１０２、ＲＡＭ１０３、及びＳＳＤ１０４によって実現される。制御部２０９は、嗜好に基づいて素材情報を選択するように制御する。嗜好の分析はＡＩ（Ａｒｔｉｆｉｃｉａｌ  Ｉｎｔｅｌｌｉｇｅｎｃｅ：人工知能）を用いてもよい。
【０１７９】
属性分析部２１３ｂは、素材情報の内容に基づいて端末１１のユーザーの属性（性別、年齢、出身地、居住地、学年、職業等）を分析するものであり、例えば、図４に示したＣＰＵ１０１、ＲＯＭ１０２、ＲＡＭ１０３、及びＳＳＤ１０４によって実現される。制御部２０９は、属性に基づいて素材情報を選択するように制御してもよい。
【０１８０】
嗜好分析部２１３ａ及び属性分析部２１３ｂは、いずれもどの素材情報が何回再生されたか、何分再生されたか、いつ再生されたかをカウントしたり、例えばアプリケーションソフトウェアにて「同意する」を検知したりしてランク付けする機能を有してもよい。また、ランク付けする際のカウント関連のデータは、制御部２０９、及び通信部２１９により、管理サーバ１３に送信するようにしてもよい。
【０１８１】
合成音声発生部２１４は、異常事態が発生したことを出力部２０３から周囲に救助を要請する旨のメッセージを発したり、解説者の声質をユーザーの年齢性別に応じた、すなわち子供には子供向けの声質に変換して発生したり、あるいはユーザーの好みの有名人の声質に変換して発生したりするものであり、例えば、図４に示したＣＰＵ１０１、ＲＯＭ１０２、ＲＡＭ１０３、ＳＳＤ１０４、Ｄ／ＡＣ１１１、及びスピーカー１１２によって実現される。
【０１８２】
入力部２１５は、音声入力を行うものであり、例えば、図４に示したＡ／ＤＣ１０９及びマイク１１０によって実現される。
【０１８３】
撮像部２１６は、被写体を撮像するものであり、例えば、図４に示したカメラ１２０によって実現される。
【０１８４】
操作表示部２１７は、電源オンオフ操作、キー入力操作、及びモニタ表示を行う者であり、例えば、図４に示した駆動回路１１３及びタッチパネル１１４によって実現される。
【０１８５】
ここで、端末１１は、通常はプッシュ型情報配信モードであり、必要に応じてプル型情報配信モードに切り替えた後プッシュ型情報配信モードに切り替えるモード切替部２１８を備える。モード切替部２１８は、例えば、図４に示したＣＰＵ１０１、ＲＯＭ１０２、ＲＡＭ１０３、及びタッチパネル１１４によって実現される。
【０１８６】
通信部２１９は、外部の機器とネットワーク１４を介して情報を授受するものであり、例えば、図４に示したインターフェース１０５によって実現される。
【０１８７】
非素材情報取得部２５０は、サービスを提供する事業者もしくは投稿者が管理サーバにアップする情報を素材情報とした場合に、素材情報以外のインターネット上の情報を含む他の事業者が管理する情報を非素材情報として取得するものであり、例えば、図４に示したＣＰＵ１０１、ＲＯＭ１０２、ＲＡＭ１０３、及びＳＳＤ１０４によって実現される。非素材情報とは、例えば、天気予報、休業日情報、交通情報、台風情報、災害情報等、通常、インターネット上で取得できる一般情報をいう。
【０１８８】
再生情報送信部２５１は、レイヤ複合体に格納された素材情報のうちの再生した素材情報、再生回数及び再生時間を含む再生情報を管理サーバ１３に送信する機能を有するものであり、例えば、図４に示したＣＰＵ１０１、ＲＯＭ１０２、ＲＡＭ１０３、ＳＳＤ１０３、及びＩ／Ｆ１０５によって実現される。
【０１８９】
ここで、再生情報送信部２５１は、例えば、管理サーバ１３から配信されるアプリケーションソフトウェアによって実現してもよい。
【０１９０】
素材情報変更部２５２は、非素材情報の内容に応じて素材情報を変更するものであり、例えば、図４に示したＣＰＵ１０１、ＲＯＭ１０２、ＲＡＭ１０３、ＳＳＤ１０３によって実現される。
【０１９１】
音声処理部２５３は、音声に対してエコーをかけたり、高音圧縮したり、低音圧縮したり、高音及び低音を圧縮したり、低音強調したり、音質変換したりする機能を有するものであり、例えば、図４に示したＣＰＵ１０１、ＲＯＭ１０２、ＲＡＭ１０３、ＳＳＤ１０３によって実現される。音声処理部２５３により、例えば音声の音質を梅雨の時のようなこもった音質にしたり、冬場の乾燥した部屋の中のような乾いた音質にしたり、山彦を発生させたり、解説者の声をキンキン声やテノール声にしたりすることができる。また、音声処理部２５３により音声による音響効果を洞窟、ホール、会議室、屋外、山頂、海辺等にいるような臨場感を演出するものにすることができる。
【０１９２】
撮像時間設定部２６０は、カメラ１２０を常時動作もしくは一定間隔動作のいずれかのモードに設定するものであり、例えば、図４に示したＣＰＵ１０１、ＲＯＭ１０２、及びＲＡＭ１０３によって実現される。これにより、バッテリーの節電効果が期待できる。
【０１９３】
図５Ｂに示す投稿部２２０は、管理サーバ１３のレイヤ複合体に素材情報を投稿するものであり、素材情報が配信される範囲の中心位置を地図上に指定する投稿位置指定機能２２１と、中心位置に端末１１のユーザーが関わった素材情報のファイルを指定するファイル指定機能２２２と、中心位置を中心として素材情報の配信領域のサイズを地図上に指定する領域指定機能２２３と、素材情報を管理サーバ１３のレイヤ複合体２０２に格納する格納機能２２４と、展示物を閲覧する時間を指定する閲覧時間指定機能２２５と、を備える。
【０１９４】
図５Ｃに示す課金部２３０は、端末１１のユーザーが関わった素材情報を他の端末側が素材情報の配信を要求する場合、他の端末側に課金するための機能を備えるものであり、例えば、図４に示したＣＰＵ１０１、ＲＯＭ１０２、ＲＡＭ１０３、及び通信部２１９によって実現される。課金部２３０は、他の端末がレイヤ複合体を介して素材情報の一部を無料とし、残りを有料である旨が他の端末側で了解されたか否かを判断する第一の判断機能２３１と、第一の判断機能２３１により了解されると残りの素材情報を配信することを承認する第一の承認機能２３２を備える。
【０１９５】
課金部２３０は、端末１１ａ（図１参照）から広告がレイヤ複合体を介して他の端末１１ｂ（図１参照）に配信され、かつ広告が他の端末１１ｂで再生されたか否かを判断する第二の判断機能２３３と、第二の判断機能２３３により再生されると端末１１ｂ側に課金することを承認する第二の承認機能２３４とを備える。
【０１９６】
図５Ｄに示す検知部２４０は、速度検知機能２４１、加速度検知機能２４２、温度検知機能２４３、湿度検知機能２４４、高度検知機能２４５、及び方位検知機能２４６を具備したものであり、例えば、図４に示した速度センサ１０８、加速度センサ１１８、温度センサ１２１、湿度センサ１２２、高度センサ１２３、及び方位センサ１２４によって実現される。
【０１９７】
＜＜動作＞＞
次に図１に示した情報処理システムの動作について述べる。動作１〜動作３は基本的な動作を示し、動作４〜動作６は具体的な動作を示す。
【０１９８】
＜動作１＞
図７は、図１に示した情報処理システムにおいて素材情報を作成する管理サーバ側の処理フロー図の一例である。
【０１９９】
同図に示されるように、まず、画像・レイアウト等のデータを読み込む（ステップＳ１１）。次に、素材情報のデータを読み込む（ステップＳ１２）。続けて、データ間の関連付けを行い（ステップＳ１３）、管理サーバから端末に配信する（ステップＳ１４）。
【０２００】
＜動作２＞
図８は、図１に示した情報処理システムにおいて素材情報を受ける端末１１と管理サーバとの間の処理フロー図の一例である。
【０２０１】
同図に示されるように、端末から情報が管理サーバに送信されると（ステップＳ２１）、管理サーバは端末の位置情報を取得する（ステップＳ３１）。管理サーバは位置情報に対応する素材情報の情報を取得し（ステップＳ３２）、端末に素材情報を配信して終了する（ステップＳ３３）。端末は管理サーバからの案内情報の素材情報を取得すると（ステップＳ２２）、素材情報を再生し終了する（ステップＳ２３）。
【０２０２】
＜動作３＞
図９は、図１に示した情報処理システムにおける端末側の受信処理の一例を示す処理フロー図の一例である。
【０２０３】
同図に示されるように、端末は移動位置情報を取得すると（ステップＳ４１）、再生情報を取得したか否かを判断し（ステップＳ４２）、再生情報を取得した場合には再生して終了する（ステップＳ４３）。
【０２０４】
＜場所と情報との関係＞
図１０は、図１に示した情報処理システムにおける素材情報作成に関して場所と時間と素材情報との関係を説明する説明図の一例である。
【０２０５】
図１０は、場所Ａ（ＰＡ）に紐づけられた音楽情報（１）（Ｉ１）と場所Ｂ（ＰＢ）に紐づけられた音楽情報（２）（Ｉ２）とが混在してもよく（Ｃａ）、場所Ｂ（ＰＢ）に紐づけられた音楽情報（２）（Ｉ２）と場所Ｃ（ＰＣ）に紐づけられた音楽情報（３）（Ｉ３）とが混在してもよい（Ｃｂ）ことを意味している。以下、他の場所に紐づけられた音楽情報も同様である。また、場所の情報だけでなく時間情報と組み合わせてもよい。
【０２０６】
＜動作４＞
図１１Ａは、図１に示した情報処理システムを用いて案内ツアーを設定せずに屋外移動及び屋内移動を行う場合の動作を説明するためのフロー図の一例の一部であり、図１１Ｂは、図１１Ａの残りである。
【０２０７】
＜Ａ１：準備段階＞
端末において、ユーザーにより案内コースが選択されたか否かを確認する（ステップＳ１０１）。
【０２０８】
＜Ａ２：屋外移動＞
ユーザーにより案内コースが選択されると、ユーザーが端末を持って屋外に移動する（ステップＳ１０２）。
【０２０９】
端末がＧＰＳ信号を受信すると（ステップＳ１０３／ＹＥＳ）、端末のレイヤ複合体に現在位置に関する素材情報群があり（ステップＳ１０４／ＹＥＳ）、端末のユーザーが素材情報群に興味があれば（ステップＳ１０５／ＹＥＳ）、素材情報群は再生され（ステップＳ１０６／ＹＥＳ）、素材情報群の再生が終了すると（ステップＳ１０７／ＹＥＳ）、ユーザーは端末ごと移動する（ステップＳ１０８／ＹＥＳ）。ユーザーが素材情報群に興味がない場合（ステップＳ１０５／ＮＯ）、ＧＰＳ信号を受信しない場合（ステップＳ１０３／ＮＯ）もユーザーは端末ごと移動する（ステップＳ１０８／ＹＥＳ）。
【０２１０】
ここで、天候が変化した場合、例えば雨が降ってきた場合にはＢＧＭが雨に関連した音楽になったり、晴れた場合には明るい音楽になったりしてもよい。
【０２１１】
＜Ａ３：屋内移動＞
端末が建物（例えば博物館）に移動し（ステップＳ１０９／ＹＥＳ）、ビーコン信号を受信すると（ステップＳ１１０）、位置情報に紐づけられた素材情報群が再生されるが、端末のユーザーが素材情報群に興味があれば（ステップＳ１１１／ＹＥＳ）、素材情報群が再生され続け（ステップＳ１１２）、素材情報群の再生が終了すると（ステップＳ１１３／ＹＥＳ）、ユーザーが屋内移動を継続する場合には（ステップＳ１１４／ＹＥＳ）、ステップＳ１１０に戻り、屋内移動を終了する場合（ステップＳ１１４／ＮＯ、Ｓ１１５／ＹＥＳ）終了し、屋内移動は継続せず、終了もしない場合（ステップＳ１１５／ＮＯ）、ステップＳ１０２に戻る。
【０２１２】
＜動作５：投稿操作手順＞
図１２〜図１７は、図１に示した情報処理システムにおける端末側での投稿操作を説明するための説明図である。
【０２１３】
（１）端末１１側で投稿用のホームページを開き、図１２に示すような画面を表示させる。図１２において、Ｃ７０は項目である「音声ガイドコース一覧」を表示し、Ｃ７１は項目である「タイトル」を表示し、Ｃ７２は項目である「概要」を表示し、Ｃ７３は項目である「更新日」を表示し、Ｃ７４は項目である「公開」を表示し、Ｃ７５は項目である「編集」を表示し、Ｃ７６は項目である「削除」を表示し、Ｃ７７は項目である「新しいコースを作る」を表示し、Ｃ７８は項目である「パスコード」を表示している。Ｃ７９は「ポイント地点にガイドを追加」のボタンである（図１３）。
【０２１４】
まず、投稿者は、図１２に示す画面においてＣ７７の「新しいコースを作る」をクリックする。
【０２１５】
図１３は、図１２に示した操作の続きを示す図の一例である。
【０２１６】
（２）図１３において、Ｃ８０は項目である「タイトル」を表示し、Ｃ８１は「タイトルの内容」を表示し、Ｃ８２は項目である「概要」を表示し、Ｃ８３は「概要の内容」を表示し、Ｃ８４は項目である「ガイドポイント」を表示し、Ｃ８５は項目である「ポイント地点」を表示し、Ｃ８６は項目である「経度」と経度の数値を表示し、Ｃ８７は項目である「緯度」と緯度の数値を表示し、Ｃ８８は項目である「名前」を表示し、Ｃ８９は項目である「経度」を表示し、Ｃ９０は項目である「緯度」を表示し、Ｃ９１は項目である「範囲」を表示し、Ｃ９２は項目である「滞在秒数」を表示し、Ｃ９３は項目である「音声ファイル」を表示し、Ｃ９４は項目である「パスコードを知っている人のみ」を表示し、Ｃ９５は項目である「パスコード」及びパスコード入力欄を表示し、Ｃ９６は「保存」のアイコンを表示している。以下、同様の項目には共通の符号を用いる。
【０２１７】
投稿者は、Ｃ８０の「タイトル」の欄に案内コースのタイトルと説明を入力する。
【０２１８】
図１４は、図１３に示した操作の続きを示す図の一例である。
【０２１９】
（３）図１４において、地図上にある丸印を、音声を置きたい目的の位置に移動させ、例えばマウスのホイール等で拡大する。
【０２２０】
図１５は、図１４に示した操作の続きを示す図の一例である。
【０２２１】
（４）音声を置きたい目的の位置に移動したら、Ｃ７９の「ポイント地点にガイドを追加」のボタンをクリックする。
【０２２２】
丸印の破線で示す配信領域としての同心円が、音声が再生される領域を表しており、円のサイズはＣ９１の「範囲」という項目の数値を変更することで調節可能である。また、Ｃ９２の「滞在秒数」の数値を変更することで、領域内に入ってから音声が再生されるまでの秒数を調節することが可能である。
【０２２３】
図１６は、図１５に示した操作の続きを示す図の一例である。
【０２２４】
（５）図１６において、Ｃ１２０は「カーソル移動、画面サイズ変更、音声ファイル検索等」を表示し、Ｃ１２１〜Ｃ１２８は素材情報としての音声ファイル群を表示し、Ｃ１２９は、「自己ファイル、アプリケーション、デスクトップ、ドキュメント、ダウンロード、動画像等」の項目を表示し、Ｃ１３０は「フォーマットボタン」を表示し、Ｃ１３１は「オプション」を表示し、Ｃ１３２は「キャンセル」を表示し、Ｃ１３３は「オープン」を表示している。
【０２２５】
ポイントにおいて再生したい音声ファイルを、「Ｃｈｏｏｓｅ  Ｆｉｌｅ」をクリックして選択する。
【０２２６】
図１７は、図１６に示した操作の続きを示す図の一例である。
【０２２７】
（６）図１７において、順次ポイントを追加し、音声ファイルを指定し、右下にあるＣ９６の「保存」ボタンをクリックすることにより投稿が終了する。
【０２２８】
図１２〜図１７に示した操作方法により制作した案内コースのガイドは、そのままでは表示されないため、アカウントごとに発行されるパスコードを設定したアプリのみ表示される。
【０２２９】
端末に所定のアプリをインストールし、ホーム画面より「設定」を開き、下の方にスクロールし、所定のボタンをタップし、パスコードを入力することで設定が完了する。端末のアプリを起動すると、地図上に作成されたツアーが表示される。
【０２３０】
ここで、投稿者は広告レイヤを選択して広告料を受け取るようにしてもよい。また、投稿者以外のユーザーが端末１１を操作してツアーを選択して入手したガイドに対して予約したり、レストランの予約をしたり、物品の購入を行ったりするためのボタンが表示されてもよい。この場合、広告、予約、購入の手数料の管理は図１に示した情報処理システムのプラットフォーマが行う。また、端末１１の表示画面に「いいね」ボタン、「シェア」ボタン、素材情報に対する評価ボタンを表示するようにしてもよい。
【０２３１】
さらに、案内コースは途中で分岐でき、選択に応じて内容が変化し、ポイントが変化するようにしておき、ツアー終了時に合計ポイントが表示され、合計ポイントは本システムのプラットフォーマ―の管理下で、例えばゲームに利用したり、ツアーと提携しているレストランや店舗で利用したりできるようにしてもよい。
【０２３２】
図１８は、図１に示した情報処理システムを用いて端末のユーザーが投稿する場合の動作を示すフロー図の一例である。
【０２３３】
同図に示されるように、端末で素材情報再生ガイドのためのホームページが開かれ（ステップＳ２０１）、端末の画面にコースのタイトルと説明がユーザーによって入力される（ステップＳ２０２）。
【０２３４】
端末の画面にコースを含む地図が表示される（ステップＳ２０３）。ユーザーが地図上の素材情報再生ポイントを目的の位置まで移動し、拡大する（ステップＳ２０４）。地図上の再生ポイントでガイド追加ボタンがクリックされる（ステップＳ２０５）と、地図上の再生ポイントを中心とする円が表示され（ステップＳ２０６）、地図上の円のサイズと端末の円内滞在時間とが設定される（ステップＳ２０７）。地図上の再生ポイントで再生したい素材情報のファイル群が表示され（ステップＳ２０８）、地図上の再生ポイントで再生したい素材情報が選択される（ステップＳ２０９）。地図上に順次再生ポイントが追加され、素材情報が指定され（ステップＳ２１０）、端末の画面の保存ボタンがクリックされて終了する（ステップＳ２１１）。
【０２３５】
＜動作６＞
図１９Ａは、図１に示した情報処理システムを用いて端末が案内コースに従って移動する場合のフロー図の一例であり、図１９Ｂは、図１９Ａの残りである。
【０２３６】
＜Ａ１：準備段階＞
端末において、ユーザーによって案内コースが選択されると（ステップＳ３０１／ＹＥＳ）、端末の操作表示部に、選択された案内コースの素材情報群が表示され（ステップＳ３０２／ＹＥＳ）、案内コースの現在の待ち時間が表示され（ステップＳ３０３／ＹＥＳ）、選択された案内コースに沿って移動する場合（ステップＳ３０４／ＹＥＳ）、ユーザーは端末ごと移動する（ステップＳ３０５）。端末のユーザーが案内コースの現在の待ち時間が長いと考えた場合（ステップＳ３０４／ＮＯ）、ステップＳ３０１に戻って他の案内コースを選択する。
【０２３７】
＜Ａ２：屋外移動＞
端末がＧＰＳ信号を受信し（ステップＳ３０６／ＹＥＳ）、現在位置に関する素材情報群が表示され（ステップＳ３０７／ＹＥＳ）、端末のユーザーが無料素材情報のみ再生するか（ステップＳ３０８）、広告付き素材情報を再生するか（ステップＳ３０９）、広告無し素材情報を再生するか（ステップＳ３１０）、有料素材情報を再生するか（ステップＳ３１１）、を選択し、選択した素材情報群を終了するまで再生し（ステップＳ３１２／ＹＥＳ）、さらにユーザーが端末ごと屋外移動し（ステップＳ３１３）、他のポイント地点でＧＰＳ信号を受信し、他のポイント地点に関連する素材情報群の待ち時間が端末に表示される（ステップＳ３１４）。
【０２３８】
端末のユーザーが待ち時間に関わらず優先的に行きたいポイント地点に進む場合（ステップＳ３１５／ＹＥＳ）、ステップＳ３０７に戻る。端末のユーザーが待ち時間を考慮する場合（ステップＳ３１５／ＮＯ）、他の案内コースに変更される（ステップＳ３１７）。
【０２３９】
他の案内コースが屋内を含む場合（ステップＳ３１８／ＹＥＳ）、端末が建物内に移動すると（ステップＳ３１９／ＹＥＳ）、ビーコン信号を受信するまで移動し（ステップＳ３２１、Ｓ３２０／ＹＥＳ）、例えば展示物の前で素材情報を再生する（ステップＳ３２２）。素材情報の再生が終了すると（ステップＳ３２３／ＹＥＳ）、移動して他の展示物の前のビーコンを受信して屋内のビーコンに関連する全て素材情報を再生すると（ステップＳ３２４／ＹＥＳ）、ユーザーは端末ごと屋外に移動し（ステップＳ３２５）、継続する場合（ステップＳ３２６／ＮＯ）、ステップＳ３０６に戻り、継続しない場合には終了する（ステップＳ３２６／ＹＥＳ）。
【０２４０】
＜博物館内＞
図２０は、図１に示した情報処理システムを博物館に適用した場合のミュージアムの利用局面を概念的に示す斜視図である。
【０２４１】
ミュージアムは、既存の空間や展示物を活かし、聴覚分野（視覚分野）の最先端テクノロジーにより新たな情報表現空間を創り出す「音（画像）」のメディア芸術といえるものである。
【０２４２】
図２０に示した博物館内に複数（図では３個であるが限定されない。）のビーコン送信部１２が配置されている。ビーコン送信部１２を中心とする破線で示す同心円はビーコン送信部１２からの信号の到達範囲を示す。中央のビーコン送信部１２の近傍に二人の人物が端末を見ているが、これはビーコン送信部１２からの信号を二つの端末１１が受信し、端末１１がビーコン送信部１２からの信号を受信したことを管理サーバ１３(図１参照)に伝達し、管理サーバ１３のレイヤ複合体から選択され組合された素材情報群が端末に配信され、端末１１のユーザーが解説、効果音、ＢＧＭ等の音声を視聴もしくは画像を視聴する状態を示している。
【０２４３】
＜博物館平面図＞
図２１Ａは、図１に示した情報処理システムを適用した博物館におけるレイヤの配置状態イメージを示す平面図であり、図２１Ｂは、図２１Ａに示した博物館におけるビーコンの配置図の一例である。
【０２４４】
図２１Ａに示すレイヤのエリアＡＲが破線で示されている。各エリアＡＲは例えば、解説に対応したＢＧＭや効果音を視聴できる領域を示している。図２１Ｂの丸印１２は全てビーコン送信部１２であり、展示物の前に配置されている。博物館内の「展示物」について、予め音声を作成しておき、展示物レイヤ―の素材情報は、展示物解説や展示物に関するＢＧＭや効果で構成することができる。来館者である端末１１のユーザーが展示物に近づくと、画面にアイコンが表示され、聞きたい（見たい）ものを選択できる。
【０２４５】
図２１Ａにおいて、博物館内の「空間」について、複数（図では８つであるが限定されない）のエリアＡＲ別に音声素材情報が予め作成されている。空間レイヤの素材情報は、博物館の館長が語るストーリー、音楽、各空間に関連する効果音等で構成されている。来館者である端末１１のユーザーが各エリアＡＲに入るとイヤホンから音声が自動的に再生される。
【０２４６】
図２２は、図１に示した情報処理システムにおける素材情報の構成例を示しており、対象となる空間とビーコン送信部との関係を示す図の一例である。
【０２４７】
１２１１、１２２１、１２３１はビーコン送信部であり、１２１０、１２２０、１２３０はそれぞれ、ビーコン送信部１２１１、１２２１、１２３１からの信号の到達範囲を示している。ビーコン送信部１２１１、１２２１、１２３１は略重複しないように配置されている。これは解説の素材情報等が混信しないようにするためである。
【０２４８】
例えば、博物館内にビーコン送信部を複数設置し、端末１１の専用アプリによって、ユーザーの位置及び／もしくは移動に応じて素材情報が提供される。ビーコン送信部１２の周囲で限定的に音声（もしくは画像）を聴取（視聴）できる。
【０２４９】
図２３は、図１に示した情報処理システムにおける端末１１に表示される地図の一例である。図２３に示す地図におけるＣ１は博物館の位置を示すマークであり、Ｃ２は駅名、Ｃ３は地名、Ｃ４は建物の名称が示される位置である。Ｐ１、Ｐ２は案内コースにおけるマークである。
【０２５０】
図２４は、図１に示した情報処理システムに用いられる端末１１の画面の一例である。図２４に示す端末１１において、例えばＣ１１には「博物館長ガイド一覧」が表示され、Ｃ１２には「〇×△ミュージアム」が表示され、Ｃ１３には「卵」が表示され、Ｃ１４には「標本」が表示され、Ｃ１５には「骨」が表示され、Ｃ１６には「昆虫標本」が表示され、Ｃ１７には「再生速度」が表示されている。端末１１のユーザーはこれらの表示からいずれかの素材情報を選択して再生することで展示物についての理解を深めることができる。素材情報の再生速度はユーザーが自由に設定でき、解説の途中で一時停止することもできるようになっている（図は一時停止状態となっている）。
【０２５１】
図２５は、図１に示した情報処理システムを展示施設に適用した場合の端末１１の表示画面の一例を示す図である。
【０２５２】
端末１１の表示画面の上側のＣ２０には「物館名」が表示され、その真下には博物館の一室の模様が表示されている。画面のＣ２１には「ガイドツアーリスト」が表示され、Ｃ２２には博物館の住所、電話番号、イーメールアドレス、ホームページアドレス等が表示され、Ｃ２３には博物館の概略に係る文字情報が表示されている。３０１は博物館の周辺地図である。
【０２５３】
図２６は、図１に示した情報処理システムを展示作品に適用した場合の端末の画面の一例を示す図である。
【０２５４】
図２６において、Ｃ３０には「展示物のタイトル」が表示され、Ｃ３１には３０２に示す人物の説明が表示されている。３０３、３０４には人物の画像が表示されており、Ｃ３２には「作品１」が表示され、Ｃ３３には「作品２」が表示され、Ｃ３４には「アンケートに答える」が表示されている。
【０２５５】
図２７は、図１に示した情報処理システムを適用した端末１１の画面の一例である。
【０２５６】
端末１１は、略水平な状態に保持されたまま、建物の内部に入ったときに天井を見上げるようにとの旨の解説があると、ユーザーは端末１１のカメラ１２０を天井に向ける。端末１１は、加速度検知機能２４２及び方位検知機能２４６（図５Ｄ）により、ユーザーの顔の向きが天井を向いていることを検知し、位置及び方位に関連する画像を表示する。
【０２５７】
図２７は、端末１１のカメラ１２０により建物の天井付近が撮像されたものであり、端末１１のタッチパネルにボタン１１ａ、１１ｂが上側の左右両端に配置されている。ボタン１１ａは「戻る」ボタンであり、ボタン１１ｂは「手動開始」ボタンである、両ボタン１１ａ、１１ｂの間の領域１１ｃには例えば、「写真を実際の風景に重ねてみよう」と表示されており、被写体と画像とを重ねて表示させることができるようになっている。右端中央のボタン１１ｄは表示画面のサイズを調整するための「サイズ」ボタンであり、左端中央のボタン１１fは表示画面の濃淡を調整するための「濃淡」ボタンである。両ボタン１１ｄ、１１fは、それぞれ、ガイド１１ｅ、１１ｇに沿って移動させてサイズや濃淡を調整することが可能である。「濃淡」ボタン１１ｆを下げて濃度を下げると、建物に関する画像（例えば、完成当時の写真）が現在の被写体と天井付近に重畳されるように表示され、「濃淡」ボタン１１fをユーザーが操作することで重畳の濃淡度が調整されるようになっており、単に解説を聴取するよりも、さらに理解が深まるようになっている。
【０２５８】
端末１１の向きを変えたり、端末１１の位置を変えたりすると、解説が途中の場合には音量が低下してフェードアウトし、再度端末１１の向きを戻したり、端末の位置を戻すと解説は途中から始まるようになっている。解説が終了して端末１１の位置が変わると、位置情報に関連した解説音声や解説画像が再生されるようになっている。
【０２５９】
図２８は、図１に示した情報処理システムを屋外の行動領域に適用した場合の端末１１の画面の一例を示す図である。
【０２６０】
図２８の上側に建物３０５の外観が表示されている。Ｃ４０には、建物３０５に関する記事が文字情報として表示されている。地図３０６には案内コースの一部としての建物３０５を含む地点にピンが表示されている。各ピンの位置に端末１１を移動させるとその位置におけるツを端末１１で再生することができる。
【０２６１】
図２９は、図１に示した情報処理システムに用いられた端末１１に行動範囲を示すとともに操作例を説明する図の一例である。
【０２６２】
Ｃ４１は案内コース、すなわち「ツアーの名前」が表示される領域であり、Ｃ４２には「ようこそ」が表示され、Ｃ４３には「左に進んで」が表示され、Ｃ４４には「右横断歩道」が表示され、Ｃ４５には「試聴する」が表示される。Ｃ４５の右側にスライドボタンのアイコンが表示されており、スライドさせることで素材情報を試聴することができる。
【０２６３】
図３０は、図１に示した情報処理システムを展示施設に適用した場合の一例を示す図である。
【０２６４】
展示施設内に複数の恐竜の化石が展示されており、その展示物の近傍にビーコン送信部１２が配置されている。見学者は端末１１を持って破線で示すビーコン送信部１２の信号到達範囲内に到達すると、解説やＢＧＭや効果音等の素材情報が再生される。
【０２６５】
図３１は、図１に示した情報処理システムを展示施設に適用した場合の端末１１の開始画面の一例を示す図である。
【０２６６】
図３１に示す端末１１の画面の上端のＣ４６には「解説者の名前」が表示され、画面の上側には展示室３０８の画像が表示され、中央のＣ４７には展示施設の説明の記事に係る文字情報が表示され、Ｃ４８にはガイド時間と展示室名とが表示される。ＳＴＡＲＴボタンを押すと素材情報が再生される。
【０２６７】
図３２は、図１に示した情報処理システムを端末１１の案内画面に適用した図の一例である。
【０２６８】
図３２に示す端末１１の上側のＣ４９には「ガイド一覧」が表示され、Ｃ５０には「博物館名」が表示され、Ｃ５１には「卵」が表示され、Ｃ５２には「標本」が表示され、Ｃ５３には「骨」が表示され、Ｃ５４には「昆虫標本」が表示され、Ｃ５５には「再生速度」が表示されている。
【０２６９】
これらいずれかのタイトルを選択して、右向き三角の再生ボタンを押すと素材情報が再生される。
【０２７０】
図３３は、図１に示した情報処理システムを展示施設に適用した場合の端末１１の操作例の一例を示す図である。
【０２７１】
図３３に示す端末１１のＣ６０には「博物館の名称」が表示され、「ワニ」の標本の画像３０９が表示され、「ミンククジラ」の標本の画像３１０が表示され、Ｃ６１には「再生速度」が表示されている。いずれかの素材情報を選択し、再生ボタンを押すと素材情報が再生される。
【０２７２】
図３４は、図１に示した情報処理システムを展示施設に適用した場合の端末１１の画像の一例である。
【０２７３】
図３４に示す端末１１の上部のＣ６２には「ガイド名」が表示され、Ｃ６３には「博物館の使命、常設内容」に関する記事が表示され、Ｃ６４には「ガイド時間及び展示室」が表示され、Ｃ６５には「ガイド内容として、０１博物館について、０２卵、０３標本、０４骨、０５昆虫標本、０６貝、０７大型地球儀、０８ダイヤモンド、０９鉱物」が表示されている。これらのうちのいずれかの素材情報を選択し、ＳＴＡＲＴボタンを押すと素材情報が再生される。
【０２７４】
＜コース１＞
コース１として、都内某大学周辺のコースである場合について例示する。図３５は、図１に示した情報処理システムを屋外に適用した場合の説明図の一例である。
【０２７５】
図３５に示す端末１１のユーザーＵ１が、例えば大学横の歩道を通行しながらイヤホンで素材情報を再生している状態を示している。ユーザーＵ１はコースに基づいた道順に従って通行している。端末１１はＧＰＳ信号を受信しており、予め指定されたポイントの位置情報に紐づけられた建物３２０についての素材情報が再生されている。
【０２７６】
図３６は、図１に示した情報処理システムを屋外に適用した場合の説明図の他の一例である。
【０２７７】
図３６において、例えば、端末１１のユーザーＵ１が大学横の道路に沿って歩くと、図３５に示した建物３２０を有する敷地の門Ｇから入るよう案内メッセージがイヤホンから流れる。
【０２７８】
図３７は、図１に示した情報処理システムを屋外に適用した場合の説明図の他の一例である。
【０２７９】
ユーザーＵ１が敷地内に入ると、庭園が目の前に広がっている状態を示している。ユーザーＵ１は庭園に関する素材情報を聴取しているところである。
【０２８０】
＜コース２＞
ユーザーが端末でレイヤ複合体を有するサイトを開くと、例えば〇〇テレコムセンター展望台のガイドが表示され、選択すると、現在位置からのルートと周辺の見所等を案内するメッセージが表示される。ルートは音声で細かく案内される。自動音声ではなく人の声で流れる。
【０２８１】
図３８は、案内コースを歩く複数の端末のユーザーＵ２、Ｕ３が建物の入り口から展望台に続く通路内にいる状態を示している。通路内にはビーコン送信部１２が配置され、ユーザーＵ２、Ｕ３がビーコン送信部１２の信号到達範囲に到達すると案内ガイド（例えば、公式ガイド（複数言語）とその子供向けのもの、プロのガイドによる歴史案内、港湾マニア向けの解説、ミニ演劇等）等の素材情報が再生される。
【０２８２】
図３９は、図３８に示したユーザーＵ２、Ｕ３が展望台に到達した状態を示す図である。
【０２８３】
例えば展望台の柱に配置されたビーコン送信部１２の信号到達範囲にユーザーＵ２、Ｕ３が到達すると、ガイドの素材情報が再生されるが、日時、気候、観る方向、展望台の混雑率等によって変化する。
【０２８４】
図４０は、図３８に示したユーザーＵ２、Ｕ３が展望台から見た港湾の一例である。
【０２８５】
図４１は、図４０に示した展望台からの夜景の一例である。同図に示されるように、ユーザーの位置情報と夜景の位置情報とを重ね合わせることにより、ユーザーの属性、どこから流入してきたか、館内のどのポイントでの滞在時間が長かったか等を確認することができる。
【０２８６】
＜コース３＞
図４２は、図１に示した情報処理システムを展示室に適用した場合の一例を示す図である。
【０２８７】
絵画や展示品の近傍にビーコン送信部１２が配置されており、見学者がビーコン送信部１２の破線で示す信号到達範囲内に到達すると展示物に関する解説や関連するＢＧＭ等の素材情報が再生される。
【０２８８】
＜投稿関係＞
図４３は、博物館における展示物の投稿についての作成画面の一例である。図４３において、Ｃ１５０は「タイトル」の項目を表示し、Ｃ１５１は「タイトルの内容」を表示し、Ｃ１５２は「概要」の項目を表示し、Ｃ１５３は「概要の内容」を表示し、Ｃ１５４は「名称」の項目を表示し、Ｃ１５５は「概要」の項目を表示し、Ｃ１５６は「画像」の項目を表示し、Ｃ１５７は「音声ファイル」の項目を表示し、Ｃ１５８は「名称」を表示し、Ｃ１５９は「概要」を表示し、Ｃ１６０は「Ｃｈｏｏｓｅ  Ｆｉｌｅ」を表示し、Ｃ１６１は「名称」を表示し、Ｃ１６２は「概要」を表示し、Ｃ１６３は「Ｃｈｏｏｓｅ  Ｆｉｌｅ」を表示し、Ｃ１６４は「パスコードを知っている人のみ」を表示し、Ｃ１６５は「パスコード」を表示し、Ｃ１６６は「保存」ボタンを表示している。
【０２８９】
＜効果＞
本発明の実施形態によれば、美術館、博物館等の会場や、一般の建屋内、あるいは屋外における並木路や公園等、立ち位置（場所）の状況や好みに合わせてサウンド（音、音声、音楽、音響等）を聴取可能となる。
【０２９０】
また、本発明の実施形態によれば、音だけで現実世界を拡張することができる。
【０２９１】
また、本発明の実施形態によれば、サウンドのレイヤ（層）が実空間に積み重なり、利用者（聴取者）はそれを自由に選択・非選択できる。
【０２９２】
また、本発明の実施形態によれば、視覚の制約を離れ、聴覚に焦点を当てることで、障害者や高齢者を含め、多くの人が利用する可能性を広げることができる。
【０２９３】
また、本発明の実施形態によれば、サウンドのレイヤ（層）は、他のミュージアムをはじめ、適応可能な場所に展開可能な開かれたプラットホームを構築できる。また、本発明は素材情報として音声だけでなく画像にも適用可能である。
【０２９４】
本発明に係る技術思想は、概括的には、以下の特徴を備える。
・聴取するサウンドにレイヤの概念を入れたこと。従って、最新の聴覚分野技術と素材情報の開発に伴いサウンドのレイヤを拡張可能としたこと。
・携帯端末、例えば、スマートフォンを用いて耳から体験するサウンド芸術を実現できること。視覚的なＡＲ／ＶＲに組み合わせることも可能であり、聴覚分野の技術革新を可能とできること。音によるミュージアム体験そのものを実現できること。
・多層空間の場と、展示物／展示品に対する多層化という二種の素材情報を提供できること。
【０２９５】
・歴史観を含めた語りとしてのストーリーと、音楽・音響等のサウンドを、屋内展示場に配備したビーコンにより自動再生可能とできること。さらには、三次元オーディオ等による現実世界の拡張等を可能とすること。
・歴史的、文化的な資源をサウンドの素材情報に一体化して提供できること。
・音だけで現実世界を拡張できること。その音をレイヤ（層）上に積み重ねることで、利用者が自由に選択できること。さらに聴取者の立ち位置によらず、他の空間へ拡張でき、適用可能な場所に制限を受けないこと。
・一つの空間で異なる空間を提供できること。
【０２９６】
・位置情報と素材情報との関連付けに、ＧＰＳや短距離通信（例えば、ビーコン）を利用できること。
・現在から過去への多層空間を作ることにより、現実を音で拡張可能とし、場合によっては、人間意識的に時間空間を超越して拡張可能とすること。
・サウンド（音、音声、音楽、音響等）にレイヤ（層、重なり）の概念を取り入れ、音による現実拡張を多層的に展開できること。
・提供対象の空間を複数のエリアに別けて、エリア毎にサウンドの素材情報を作成し、提供すること。
【０２９７】
・聴取者は、携帯端末、例えば、スマートフォンを利用して各エリアに入るとイヤホンから素材情報を自動で聴取可能とできること。
・展示物等のレイヤに対応した素材情報は、展示物解説や各展示物に関係する音楽・音響等で構成したこと。
・聴取者が、携帯端末、例えば、スマートフォンにより、対応とする展示物に近づくと、画面にアイコンが表示され、聞きたいものを選択可能としたこと。
【０２９８】
・屋内の展示場等に、例えば、ビーコンを設置し、携帯端末、例えば、スマートフォンを用いて所定のアプリによって、立ち位置及び／もしくは移動に応じて、素材情報を提供できること。
・サウンドだけで現実世界を拡張することができること。
・サウンドのレイヤを実空間に積み重ねる（登録する）ことで、聴取者が選択・非選択を可能としたこと。
・専用のハードウェアに依存せずに汎用コンピュータあるいは携帯端末によって素材情報を作成することができ、併せて地図上に対応させて登録できること。また、屋内（インドア）では短距離通信手段（例えば、ビーコン）、屋外（アウトドア）にあってはＧＰＳを利用して素材情報を提供でき、場所を問わず劇場化も可能とすること。
【０２９９】
・また、スマートフォンなどに内蔵されている、ＧＰＳ、ビーコン、ジャイロセンサ（角速度センサ）、加速度センサにより、その状況に応じたサウンドを提供することもできること。
・また、利用者（聴取者）が、立ち位置によって、その選択した経路に応じたストーリーに合わせてサウンドを再生することもでき、利用者の行動をＧＰＳやビーコン等を用いて検知しストーリーの分岐に応じたサウンドを提供できること。そのサウンド内容は選択されることでもよいし、自動的に選択されるものであってもよいこと。
・また、素材情報を提供する場所の情報、例えば、日時、気象条件、混雑率等により、サウンド内容を自動的に生成することもでき、また、利用者が選択することで自動生成されることでもよいこと。
【０３００】
・各地、各場所には重層的な歴史があることに鑑みて、それら固有のストーリーとして、サウンドを含め、素材情報化でき、歴史を含めた素材情報を提供可能とできること。
【０３０１】
本発明の素材情報となる対象としては、特に制限されるわけではないが、観光地や地域の案内、博物館や小規模ギャラリーのガイド、飛行機／鉄道／車等の乗物からの車窓や歴史解説、特別な建築・構造物等の解説、種々イベント等に適用できる。
【０３０２】
映画やドラマのプロモーション（聖地巡りなど）、実際の場を舞台とした演劇やゲーム等に用いることができる。
【０３０３】
聴取用の機器としては、携帯端末に付随のイヤホンや、ヘッドフォン、あるいはウェアラブル端末に付随の聴取機器を用いることができる。
【０３０４】
本実施形態によれば、博物館等でユーザーの顔の向きに応じて効果音や解説者の声を変えることのできる情報処理システム、情報処理システムの制御方法、プログラム、及び記録媒体を実現することができる。
【０３０５】
本実施形態によれば、解説者の声質をユーザーの年齢性別に応じた声質あるいはユーザーの好みの、たとえば、有名人の声質にすることのできる情報処理システム、情報処理システムの制御方法、プログラム、及び記録媒体を実現することができる。
【０３０６】
＜プログラム＞
以上で説明した本発明に係る情報処理システムは、コンピュータで処理を実行させるプログラムによって実現されている。よって、一例として、プログラムにより本発明の機能を実現する場合の説明を以下で行う。
【０３０７】
例えば、
コンピュータ読み取り可能なプログラムであって、前記コンピュータに、端末の位置情報を取得する第一の機能と、少なくとも前記第一の機能により取得する位置情報に関連する素材情報をレイヤ複合体に格納する第二の機能と、前記レイヤ複合体に格納した素材情報をどのように経時的に展開するのかを規定する第三の機能と、前記第三の機能によりなされた規定に基づいて経時的に素材情報を出力する第四の機能と、を実行させるためのコンピュータ読み取り可能なプログラムが挙げられる。
【０３０８】
このようなプログラムは、コンピュータに読み取り可能な記録媒体に記憶されていてもよい。
【０３０９】
＜記録媒体＞
ここで、記録媒体としては、例えばＣＤ−ＲＯＭ、フレキシブルディスク（ＦＤ）、ＣＤ−Ｒ等のコンピュータで読み取り可能な記録媒体、フラッシュメモリ、ＲＡＭ、ＲＯＭ、ＦｅＲＡＭ等の半導体メモリやＨＤＤが挙げられる。
【０３１０】
ＣＤ−ＲＯＭは、Ｃｏｍｐａｃｔ  Ｄｉｓｃ  Ｒｅａｄ  Ｏｎｌｙ  Ｍｅｍｏｒｙの略である。フレキシブルディスクは、Ｆｌｅｘｉｂｌｅ  Ｄｉｓｋ：ＦＤを意味する。ＣＤ−Ｒは、ＣＤ−Ｒｅｃｏｒｄａｂｌｅの略である。
【０３１１】
尚、上述した実施の形態は、本発明の好適な実施の形態の一例を示すものであり、本発明はそれに限定されることなく、その要旨を逸脱しない範囲内において、種々変形実施が可能である。
【０３１２】
例えば、広告を掲載する場合に、口コミや再生回数に応じてランキングの位置を上昇させたり、案内コースを移動中にスポンサー企業の前を通過する際にスポンサー企業の新製品を紹介したりするようにしてもよい。
【０３１３】
本実施の形態では、ユーザーＵ１〜Ｕ３が博物館や歩道を歩いている場合について説明したが、本発明はこれに限定されるものではなく、それぞれの音の発生源を個別のレイヤとしてコントロールできることを利用し、音声ＡＲの例として、例えば図４４に示すようにユーザーＵ４が、例えば実線で示す山手線に乗車し、例えば加速度の情報を利用して仮想現実（音声ＡＲ）を体験できる。すなわち端末113の操作部の時間軸を操作して時刻を例えば１９７０年ａ月ｂ日ｃ時ｄ分に設定した場合、当時の山手線の車両が停止位置から発車する場合のモータの回転音や車内アナウンス音等をＧＰＳ等の位置情報や加速度情報や顔の向きを利用して再現したり、当時の時刻表のデータに基づいて同一時間同一地点ですれ違う列車（破線で示す列車）の音を再現したりすることで仮想現実を体験して臨場感が味わえる。端末１１は、当時の車窓の変化の画像や動画を再生したり、時刻表のデータに基づいた同一時間同一地点での列車のすれ違いを再現する画像や動画を再生してもよい。また、仮想的に乗車したりすれ違う車両がディズニーランド（登録商標）のウエスタンリバー鉄道の機関車（例えばミシシッピー号）であってもよく、銀河鉄道９９９（登録商標）であってもよく、時間軸を未来に設定して未来の鉄道車両の音声を再生したり画像表示したりしてもよい。また上記をたとえば自宅などでの別の場所で簡易的に楽しんでも良い。また、仮想空間上にe年f月g日h事の、歴史的事件を再現して、その録音や再生音声を聞くことができるようにすることも可能である。
【０３１４】
また、画像ＡＲの例として、例えば、青函連絡船の起点であった青森駅・青森桟橋もしくは終点であった函館駅・函館桟橋にて海に向かって端末１１のカメラ１２０を向けてサイズボタン１１ｄと濃淡ボタン１１ｆと操作部の時間軸とを調整すると、現在の海の画像の代わりに就航時の「摩周丸」、「八甲田丸」、「羊蹄丸」等の出船入船の動画像（静止画像もしくはＣＧ画像）の画像、蒸気機関車の発車時、停車時の画像、さらに、音声ＡＲとして、解説ガイド、ＢＧＭ、効果音、雑踏の音、すれ違う人の方言等の音声が再生されることにより、より効果的に当時の雰囲気を味わうことができるようにしてもよい（図示しない）。この場合、ユーザーが端末１１の向きを変えた場合、例えば青函連絡船を見る方向から１８０度回転して、当時の駅や雑踏の様子を音声や画像で再現できるようにしてもよい。さらに、青函連絡船の代わりに例えば、宇宙戦艦ヤマト（登録商標）であってもよい。
【０３１５】
また、図４５Ａに示すように雲ＣＬがかかった富士山ＭＦを端末１１でモニタしながら、濃淡ボタン１１ｆを下げて濃度を変えると、快晴時の富士山ＭＦの画像が再生されるようになっているようにしてもよい（図４５Ｂ）。このとき、端末１１から富士山ＭＦの解説や観光案内の音声が再生されてもよく、端末１１の操作部の時間軸を操作して例えば江戸時代中期の１７０７年（宝永４年）に設定すると、富士山の噴火の画像や音声、噴火が約２週間続き、総噴出量が約7×１０８ｍ３と推定されている等の解説がなされてもよい。
【産業上の利用可能性】
【０３１６】
本発明に係る情報処理システム、情報処理システムの制御方法、プログラム、及び記録媒体は、工業的に製造することができ、また商取引の対象とすることができるため、経済的価値を有しており、産業上利用することができる発明である。
【符号の説明】
【０３１７】
１１…端末（ＰＣ、携帯端末等）
１２…ビーコン送信部
１３…管理サーバ
１４…ネットワーク（有線または無線）
１５…ＧＰＳ受信部
５１、２０１…記憶部
５１ａ、２０２…レイヤ複合体
５２…入出力部
５３、２０９…制御部
５４、２１９…通信部
２００…位置情報取得部
２０３…出力部
２０４…全地球測位部
２０５…近距離通信受信部
２０７…方位情報取得部
２０８…広告掲載部
２１０…上書き許可部
２１１…混雑率情報取得部
２１２…配信切替部
２１３…分析部
２１３ａ…嗜好分析部
２１３ｂ…属性分析部
２１４…合成音声発生部
２１５…入力部
２１６…撮像部
２１７…操作表示部
２１８…モード切替部
２２０…投稿部
２３０…課金部
２４０…検知部
２５０…非素材情報取得部
２５１…再生情報送信部
２５２…素材情報変更部
２６０…撮像時間設定部
【図１】
2019091455.tif 000003
【図２】
2019091455.tif 000004
【図３】
2019091455.tif 000005
【図４】
2019091455.tif 000006
【図５Ａ】
2019091455.tif 000007
【図５Ｂ】
2019091455.tif 000008
【図５Ｃ】
2019091455.tif 000009
【図５Ｄ】
2019091455.tif 000010
【図６Ａ】
2019091455.tif 000011
【図６Ｂ】
2019091455.tif 000012
【図７】
2019091455.tif 000013
【図８】
2019091455.tif 000014
【図９】
2019091455.tif 000015
【図１０】
2019091455.tif 000016
【図１１Ａ】
2019091455.tif 000017
【図１１Ｂ】
2019091455.tif 000018
【図１２】
2019091455.tif 000019
【図１３】
2019091455.tif 000020
【図１４】
2019091455.tif 000021
【図１５】
2019091455.tif 000022
【図１６】
2019091455.tif 000023
【図１７】
2019091455.tif 000024
【図１８】
2019091455.tif 000025
【図１９Ａ】
2019091455.tif 000026
【図１９Ｂ】
2019091455.tif 000027
【図２０】
2019091455.tif 000028
【図２１Ａ】
2019091455.tif 000029
【図２１Ｂ】
2019091455.tif 000030
【図２２】
2019091455.tif 000031
【図２３】
2019091455.tif 000032
【図２４】
2019091455.tif 000033
【図２５】
2019091455.tif 000034
【図２６】
2019091455.tif 000035
【図２７】
2019091455.tif 000036
【図２８】
2019091455.tif 000037
【図２９】
2019091455.tif 000038
【図３０】
2019091455.tif 000039
【図３１】
2019091455.tif 000040
【図３２】
2019091455.tif 000041
【図３３】
2019091455.tif 000042
【図３４】
2019091455.tif 000043
【図３５】
2019091455.tif 000044
【図３６】
2019091455.tif 000045
【図３７】
2019091455.tif 000046
【図３８】
2019091455.tif 000047
【図３９】
2019091455.tif 000048
【図４０】
2019091455.tif 000049
【図４１】
2019091455.tif 000050
【図４２】
2019091455.tif 000051
【図４３】
2019091455.tif 000052
【図４４】
2019091455.tif 000053
【図４５Ａ】
2019091455.tif 000054
【図４５Ｂ】
2019091455.tif 000055